(57)【要約】  本発明の実施例はＨＡＲＱ  ＩＤ決定方法、ネットワーク装置、端末及びコンピュータ記憶媒体を開示する。前記方法は、ネットワーク装置が、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が非動的リソース設定の時間領域リソースオフセット及び／又は時間領域リソース周期を含むことと、前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を含む。
2021510942.tif 000002
【特許請求の範囲】
【請求項１】
ハイブリッド自動再送要求（ＨＡＲＱ）ＩＤ決定方法であって、
ネットワーク装置は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が非動的リソース設定の時間領域リソースオフセット及び／又は時間領域リソース周期を含むことと、
前記ネットワーク装置は、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を含むハイブリッド自動再送要求（ＨＡＲＱ）ＩＤ決定方法。
【請求項２】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソースオフセット、前記時間領域リソース周期及び前記ＨＡＲＱプロセス数に基づいて、ＨＡＲＱ  ＩＤを決定することを含む請求項１に記載の方法。
【請求項３】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定することを含む請求項１に記載の方法。
【請求項４】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定することを含む請求項１に記載の方法。
【請求項５】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを含む請求項１に記載の方法。
【請求項６】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを含む請求項１に記載の方法。
【請求項７】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送している伝送回数のうちの少なくとも１つの情報とに基づいて、ＨＡＲＱ  ＩＤを決定することは、
前記ネットワーク装置は、前記現在伝送している時間領域リソース番号、前記現在伝送している伝送回数、前記時間領域リソース周期及び前記ＨＡＲＱプロセス数に基づいて、ＨＡＲＱ  ＩＤを決定することを含む請求項１に記載の方法。
【請求項８】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送している伝送回数のうちの少なくとも１つの情報とに基づいて、ＨＡＲＱ  ＩＤを決定することは、
前記ネットワーク装置は、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定することを含む請求項１に記載の方法。
【請求項９】
前記時間領域リソースオフセットの単位は、伝送の絶対時間長と同じであり又は異なる請求項１〜８のいずれか１項に記載の方法。
【請求項１０】
前記時間領域リソース周期の単位は、伝送の絶対時間長と同じであり又は異なる請求項１〜８のいずれか１項に記載の方法。
【請求項１１】
前記方法は、前記ネットワーク装置が端末にシグナリングを送信することを更に含み、前記シグナリングには前記ＨＡＲＱプロセス数、前記時間領域リソース設定情報、前記ＨＡＲＱ  ＩＤオフセットのうちの１つが少なくとも含まれ、前記シグナリングはＲＲＣシグナリング、上位層シグナリング又は物理層シグナリングのうちの１つを含む請求項１〜８のいずれか１項に記載の方法。
【請求項１２】
ＨＡＲＱ  ＩＤ決定方法であって、
端末は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が時間領域リソースオフセット及び／又は時間領域リソース周期を含むことと、
前記端末は、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を含むＨＡＲＱ  ＩＤ決定方法。
【請求項１３】
前記方法は、前記端末が、ネットワーク装置からのシグナリングを受信し、前記シグナリングに基づいて、前記ＨＡＲＱプロセス数、前記時間領域リソース設定情報、前記ＨＡＲＱ  ＩＤオフセットのうちの少なくとも１つを決定することを更に含み、前記シグナリングはＲＲＣシグナリング、上位層シグナリング又は物理層シグナリングのうちの１つを含む請求項１２に記載の方法。
【請求項１４】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソースオフセット、前記時間領域リソース周期及び前記ＨＡＲＱプロセス数に基づいて、ＨＡＲＱ  ＩＤを決定することを含む請求項１２に記載の方法。
【請求項１５】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定することを含む請求項１２に記載の方法。
【請求項１６】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定することを含む請求項１２に記載の方法。
【請求項１７】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを含む請求項１２に記載の方法。
【請求項１８】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを含む請求項１２に記載の方法。
【請求項１９】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記現在伝送している伝送回数、前記時間領域リソース周期及び前記ＨＡＲＱプロセス数に基づいて、ＨＡＲＱ  ＩＤを決定することを含む請求項１２に記載の方法。
【請求項２０】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定することを含む請求項１２に記載の方法。
【請求項２１】
前記時間領域リソースオフセットの単位は、伝送の絶対時間長と同じであり又は異なる請求項１２〜２０のいずれか１項に記載の方法。
【請求項２２】
前記時間領域リソース周期の単位は、伝送の絶対時間長と同じであり又は異なる請求項１２〜２０のいずれか１項に記載の方法。
【請求項２３】
ネットワーク装置であって、前記ネットワーク装置は第１決定ユニットと第２決定ユニットを備え、
前記第１決定ユニットは、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定するように設定され、前記時間領域リソース設定情報は非動的リソース設定の時間領域リソースオフセット及び／又は時間領域リソース周期を含み、
前記第２決定ユニットは、前記第１決定ユニットが決定した前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定するように設定されるネットワーク装置。
【請求項２４】
前記第２決定ユニットは、前記現在伝送している時間領域リソース番号、前記時間領域リソースオフセット、前記時間領域リソース周期及び前記ＨＡＲＱプロセス数に基づいて、ＨＡＲＱ  ＩＤを決定するように設定される請求項２３に記載のネットワーク装置。
【請求項２５】
前記第２決定ユニットは、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定するように設定される請求項２３に記載のネットワーク装置。
【請求項２６】
前記第２決定ユニットは、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定するように設定される請求項２３に記載のネットワーク装置。
【請求項２７】
前記第２決定ユニットは、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される請求項２３に記載のネットワーク装置。
【請求項２８】
前記第２決定ユニットは、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される請求項２３に記載のネットワーク装置。
【請求項２９】
前記第２決定ユニットは、前記現在伝送している時間領域リソース番号、前記現在伝送している伝送回数、前記時間領域リソース周期及び前記ＨＡＲＱプロセス数に基づいて、ＨＡＲＱ  ＩＤを決定するように設定される請求項２３に記載のネットワーク装置。
【請求項３０】
前記第２決定ユニットは、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定するように設定される請求項２３に記載のネットワーク装置。
【請求項３１】
前記時間領域リソースオフセットの単位は、伝送の絶対時間長と同じであり又は異なる請求項２３〜３０のいずれか１項に記載のネットワーク装置。
【請求項３２】
前記時間領域リソース周期の単位は、伝送の絶対時間長と同じであり又は異なる請求項２３〜３０のいずれか１項に記載のネットワーク装置。
【請求項３３】
前記ネットワーク装置は、端末にシグナリングを送信するように設定される送信ユニットを更に備え、前記シグナリングには前記ＨＡＲＱプロセス数、前記時間領域リソース設定情報、前記ＨＡＲＱ  ＩＤオフセットのうちの１つが少なくとも含まれ、前記シグナリングはＲＲＣシグナリング、上位層シグナリング又は物理層シグナリングのうちの１つを含む請求項２３〜３０のいずれか１項に記載のネットワーク装置。
【請求項３４】
端末であって、前記端末は第３決定ユニットと第４決定ユニットを備え、
前記第３決定ユニットは、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定するように設定され、前記時間領域リソース設定情報は時間領域リソースオフセット及び／又は時間領域リソース周期を含み、
前記第４決定ユニットは、前記第３決定ユニットが決定した前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定するように設定される端末。
【請求項３５】
前記端末はネットワーク装置からのシグナリングを受信するように設定される受信ユニットを更に備え、前記シグナリングはＲＲＣシグナリング、上位層シグナリング又は物理層シグナリングのうちの１つを含み、
前記第３決定ユニットは、前記受信ユニットが受信した前記シグナリングに基づいて、前記ＨＡＲＱプロセス数、前記時間領域リソース設定情報、前記ＨＡＲＱ  ＩＤオフセットのうちの少なくとも１つを決定するように設定される請求項３４に記載の端末。
【請求項３６】
前記第４決定ユニットは、前記現在伝送している時間領域リソース番号、前記時間領域リソースオフセット、前記時間領域リソース周期及び前記ＨＡＲＱプロセス数に基づいて、ＨＡＲＱ  ＩＤを決定するように設定される請求項３４に記載の端末。
【請求項３７】
前記第４決定ユニットは、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定するように設定される請求項３４に記載の端末。
【請求項３８】
前記第４決定ユニットは、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定するように設定される請求項３４に記載の端末。
【請求項３９】
前記第４決定ユニットは、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される請求項３４に記載の端末。
【請求項４０】
前記第４決定ユニットは、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される請求項３４に記載の端末。
【請求項４１】
前記第４決定ユニットは、前記現在伝送している時間領域リソース番号、前記現在伝送している伝送回数、前記時間領域リソース周期及び前記ＨＡＲＱプロセス数に基づいて、ＨＡＲＱ  ＩＤを決定するように設定される請求項３４に記載の端末。
【請求項４２】
前記第４決定ユニットは、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定するように設定される請求項３４に記載の端末。
【請求項４３】
前記時間領域リソースオフセットの単位は、伝送の絶対時間長と同じであり又は異なる請求項３４〜４２のいずれか１項に記載の端末。
【請求項４４】
前記時間領域リソース周期の単位は、伝送の絶対時間長と同じであり又は異なる請求項３４〜４２のいずれか１項に記載の端末。
【請求項４５】
ネットワーク装置であって、メモリと、プロセッサと、メモリに記憶されてプロセッサで実行可能なコンピュータプログラムとを備え、前記プロセッサが前記プログラムを実行するとき、請求項１〜１１のいずれか１項に記載のＨＡＲＱ  ＩＤ決定方法のステップを実現するネットワーク装置。
【請求項４６】
端末であって、メモリと、プロセッサと、メモリに記憶されてプロセッサで実行可能なコンピュータプログラムとを備え、前記プロセッサが前記プログラムを実行するとき、請求項１２〜２２のいずれか１項に記載のＨＡＲＱ  ＩＤ決定方法のステップを実現する端末。
【請求項４７】
コンピュータ記憶媒体であって、コンピュータ指令が記憶され、該指令がプロセッサにより実行されるとき、請求項１〜１１のいずれか１項に記載のＨＡＲＱ  ＩＤ決定方法のステップを実現し、
又は、該指令がプロセッサにより実行されるとき、請求項１２〜２２のいずれか１項に記載のＨＡＲＱ  ＩＤ決定方法のステップを実現するコンピュータ記憶媒体。
【発明の詳細な説明】
【技術分野】
【０００１】
本発明は無線通信技術に関し、具体的に、ハイブリッド自動再送要求（ＨＡＲＱ：Ｒａｄｉｏ  Ｒｅｓｏｕｒｃｅ  Ｃｏｎｔｒｏｌ）番号決定方法、ネットワーク装置、端末及びコンピュータ記憶媒体に関する。
【背景技術】
【０００２】
現在の５Ｇシステムでは超高信頼低遅延通信（ＵＲＬＬＣ、Ｕｌｔｒａ−Ｒｅｌｉａｂｌｅ  Ｌｏｗ  Ｌａｔｅｎｃｙ  Ｃｏｍｍｕｎｉｃａｔｉｏｎ）が導入されており、該サービスの特徴は極端の遅延内（例えば、１ｍｓ）に超高信頼性（例えば、９９．９９９％）の伝送を実現することである。この目標を実現するために、Ｇｒａｎｔ  ｆｒｅｅの概念が提案された。Ｇｒａｎｔ  ｆｒｅｅでは事前設定／半永続状態のリソース設定方式が用いられ、端末はサービスニーズに応じて、設定されたリソースで伝送することができる。該技術はリソース要求（ＳＲ、Ｓｃｈｅｄｕｌｅ  Ｒｅｑｕｅｓｔ）及びバッファステータスレポート（ＢＳＲ、Ｂｕｆｆｅｒ  Ｓｔａｔｕｓ  Ｒｅｐｏｒｔ）の過程を回避し、端末の有効な伝送時間を長くする。
【０００３】
ＨＡＲＱは一般に「停止−待機」の方式で実現される。あるＨＡＲＱプロセスについて、ＡＣＫ／ＮＡＣＫフィードバックを待つ前に、このプロセスは伝送を一時的に中断し、フィードバック／スケジューリングシグナリングを受信した後、フィードバック結果／スケジューリング情報に基づいて、新規データの送信又は旧データの再送を選択する。システムの伝送効率を確保するために、ＨＡＲＱはマルチプロセスを用いる。即ち、あるプロセスがフィードバック／スケジューリングを待っている間に、他のプロセスが伝送される。複数のプロセス間のデータの混乱を回避するために、ＨＡＲＱ  ＩＤを用いてＨＡＲＱプロセスを示す。
【０００４】
ロングタームエボリューション（ＬＴＥ）システムでのＨＡＲＱ  ＩＤは伝送時間間隔（ＴＴＩ、Ｔｒａｎｓｍｉｓｓｉｏｎ  Ｔｉｍｅ  Ｉｎｔｅｒｖａｌ）識別子、周期及びプロセス数に基づいて算出される。しかし、５Ｇシステムでは、Ｇｒａｎｔ  ｆｒｅｅメカニズムで繰り返し伝送が用いられると、不正確なＨＡＲＱ指示の問題が発生し、例えば、同一のデータブロック（ＴＢ）の複数回の繰り返し計算により異なるＨＡＲＱ  ＩＤが得られる。このように、１つのＴＢが複数のプロセスに対応し、再送合成の効率を低下させるだけでなく、異なるＴＢの誤った合成の問題を招く。
【発明の概要】
【発明が解決しようとする課題】
【０００５】
現在存在している技術的課題を解決するために、本発明の実施例はＨＡＲＱ  ＩＤ決定方法、ネットワーク装置、端末及びコンピュータ記憶媒体を提供する。
【課題を解決するための手段】
【０００６】
本発明の実施例はＨＡＲＱ  ＩＤ決定方法を提供し、前記方法は、
ネットワーク装置は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が非動的リソース設定の時間領域リソースオフセット及び／又は時間領域リソース周期を含むことと、
前記ネットワーク装置は、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を含む。
【０００７】
１つの実施例では、前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソースオフセット、前記時間領域リソース周期及び前記ＨＡＲＱプロセス数に基づいて、ＨＡＲＱ  ＩＤを決定することを含む。
【０００８】
１つの実施例では、前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定することを含む。
【０００９】
１つの実施例では、前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定することを含む。
【００１０】
１つの実施例では、前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを含む。
【００１１】
１つの実施例では、前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを含む。
【００１２】
１つの実施例では、前記ネットワーク装置が、前記現在伝送している時間領域リソース番号と、前記ＨＡＲＱプロセス数と、前記時間領域リソース設定情報、ＨＡＲＱ  ＩＤオフセット、現在伝送している伝送回数のうちの少なくとも１つの情報とに基づいて、ＨＡＲＱ  ＩＤを決定することは、
前記ネットワーク装置は、前記現在伝送している時間領域リソース番号、前記現在伝送している伝送回数、前記時間領域リソース周期及び前記ＨＡＲＱプロセス数に基づいて、ＨＡＲＱ  ＩＤを決定することを含む。
【００１３】
１つの実施例では、前記ネットワーク装置が、前記現在伝送している時間領域リソース番号と、前記ＨＡＲＱプロセス数と、前記時間領域リソース設定情報、ＨＡＲＱ  ＩＤオフセット、現在伝送している伝送回数のうちの少なくとも１つの情報とに基づいて、ＨＡＲＱ  ＩＤを決定することは、
前記ネットワーク装置は、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定することを含む。
【００１４】
１つの実施例では、前記時間領域リソースオフセットの単位は、伝送の絶対時間長と同じであり又は異なる。
【００１５】
１つの実施例では、前記時間領域リソース周期の単位は、伝送の絶対時間長と同じであり又は異なる。
【００１６】
１つの実施例では、前記方法は、前記ネットワーク装置が端末にシグナリングを送信することを更に含み、前記シグナリングには前記ＨＡＲＱプロセス数、前記時間領域リソース設定情報、前記ＨＡＲＱ  ＩＤオフセットのうちの１つが少なくとも含まれ、前記シグナリングはＲＲＣシグナリング、上位層シグナリング又は物理層シグナリングのうちの１つを含む。
【００１７】
本発明の実施例はＨＡＲＱ  ＩＤ決定方法を更に提供し、前記方法は、
端末は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が時間領域リソースオフセット及び／又は時間領域リソース周期を含むことと、
前記端末は、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を含む。
【００１８】
１つの実施例では、前記方法は、前記端末が、ネットワーク装置からのシグナリングを受信し、前記シグナリングに基づいて、前記ＨＡＲＱプロセス数、前記時間領域リソース設定情報、前記ＨＡＲＱ  ＩＤオフセットのうちの少なくとも１つを決定することを更に含み、前記シグナリングはＲＲＣシグナリング、上位層シグナリング又は物理層シグナリングのうちの１つを含む。
【００１９】
１つの実施例では、前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソースオフセット、前記時間領域リソース周期及び前記ＨＡＲＱプロセス数に基づいて、ＨＡＲＱ  ＩＤを決定することを含む。
【００２０】
１つの実施例では、前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定することを含む。
【００２１】
１つの実施例では、前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定することを含む。
【００２２】
１つの実施例では、前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを含む。
【００２３】
１つの実施例では、前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを含む。
【００２４】
１つの実施例では、前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記現在伝送している伝送回数、前記時間領域リソース周期及び前記ＨＡＲＱプロセス数に基づいて、ＨＡＲＱ  ＩＤを決定することを含む。
【００２５】
１つの実施例では、前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定することを含む。
【００２６】
１つの実施例では、前記時間領域リソースオフセットの単位は、伝送の絶対時間長と同じであり又は異なる。
【００２７】
１つの実施例では、前記時間領域リソース周期の単位は、伝送の絶対時間長と同じであり又は異なる。
【００２８】
本発明の実施例はネットワーク装置を更に提供し、前記ネットワーク装置は第１決定ユニットと第２決定ユニットを備え、
前記第１決定ユニットは、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定するように設定され、前記時間領域リソース設定情報は非動的リソース設定の時間領域リソースオフセット及び／又は時間領域リソース周期を含み、
前記第２決定ユニットは、前記第１決定ユニットが決定した前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定するように設定される。
【００２９】
１つの実施例では、前記第２決定ユニットは、前記現在伝送している時間領域リソース番号、前記時間領域リソースオフセット、前記時間領域リソース周期及び前記ＨＡＲＱプロセス数に基づいて、ＨＡＲＱ  ＩＤを決定するように設定される。
【００３０】
１つの実施例では、前記第２決定ユニットは、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定するように設定される。
【００３１】
１つの実施例では、前記第２決定ユニットは、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定するように設定される。
【００３２】
１つの実施例では、前記第２決定ユニットは、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される。
【００３３】
１つの実施例では、前記第２決定ユニットは、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される。
【００３４】
１つの実施例では、前記第２決定ユニットは、前記現在伝送している時間領域リソース番号、前記現在伝送している伝送回数、前記時間領域リソース周期及び前記ＨＡＲＱプロセス数に基づいて、ＨＡＲＱ  ＩＤを決定するように設定される。
【００３５】
１つの実施例では、前記第２決定ユニットは、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定するように設定される。
【００３６】
１つの実施例では、前記時間領域リソースオフセットの単位は、伝送の絶対時間長と同じであり又は異なる。
【００３７】
１つの実施例では、前記時間領域リソース周期の単位は、伝送の絶対時間長と同じであり又は異なる。
【００３８】
１つの実施例では、前記ネットワーク装置は、端末にシグナリングを送信するように設定される送信ユニットを更に備え、前記シグナリングには前記ＨＡＲＱプロセス数、前記時間領域リソース設定情報、前記ＨＡＲＱ  ＩＤオフセットのうちの１つが少なくとも含まれ、前記シグナリングはＲＲＣシグナリング、上位層シグナリング又は物理層シグナリングのうちの１つを含む。
【００３９】
本発明の実施例は端末を更に提供し、前記端末は第３決定ユニットと第４決定ユニットを備え、
前記第３決定ユニットは、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定するように設定され、前記時間領域リソース設定情報は時間領域リソースオフセット及び／又は時間領域リソース周期を含み、
前記第４決定ユニットは、前記第３決定ユニットが決定した前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定するように設定される。
【００４０】
１つの実施例では、前記端末は、ネットワーク装置からのシグナリングを受信するように設定される受信ユニットを更に備え、前記シグナリングはＲＲＣシグナリング、上位層シグナリング又は物理層シグナリングのうちの１つを含み、
前記第３決定ユニットは、前記受信ユニットが受信した前記シグナリングに基づいて、前記ＨＡＲＱプロセス数、前記時間領域リソース設定情報、前記ＨＡＲＱ  ＩＤオフセットのうちの少なくとも１つを決定するように設定される。
【００４１】
１つの実施例では、前記第４決定ユニットは、前記現在伝送している時間領域リソース番号、前記時間領域リソースオフセット、前記時間領域リソース周期及び前記ＨＡＲＱプロセス数に基づいて、ＨＡＲＱ  ＩＤを決定するように設定される。
【００４２】
１つの実施例では、前記第４決定ユニットは、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定するように設定される。
【００４３】
１つの実施例では、前記第４決定ユニットは、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定するように設定される。
【００４４】
１つの実施例では、前記第４決定ユニットは、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される。
【００４５】
１つの実施例では、前記第４決定ユニットは、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される。
【００４６】
１つの実施例では、前記第４決定ユニットは、前記現在伝送している時間領域リソース番号、前記現在伝送している伝送回数、前記時間領域リソース周期及び前記ＨＡＲＱプロセス数に基づいて、ＨＡＲＱ  ＩＤを決定するように設定される。
【００４７】
１つの実施例では、前記第４決定ユニットは、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定するように設定される。
【００４８】
１つの実施例では、前記時間領域リソースオフセットの単位は、伝送の絶対時間長と同じであり又は異なる。
【００４９】
１つの実施例では、前記時間領域リソース周期の単位は、伝送の絶対時間長と同じであり又は異なる。
【００５０】
本発明の実施例はネットワーク装置を更に提供し、前記ネットワーク装置はメモリと、プロセッサと、メモリに記憶されてプロセッサで実行可能なコンピュータプログラムとを備え、前記プロセッサが前記プログラムを実行するとき、本発明の実施例に記載のネットワーク装置に適用されるＨＡＲＱ  ＩＤ決定方法のステップを実現する。
【００５１】
本発明の実施例は端末を更に提供し、前記端末はメモリと、プロセッサと、メモリに記憶されてプロセッサで実行可能なコンピュータプログラムとを備え、前記プロセッサが前記プログラムを実行するとき、本発明の実施例に記載の端末に適用されるＨＡＲＱ  ＩＤ決定方法のステップを実現する。
【００５２】
本発明の実施例はコンピュータ記憶媒体を更に提供し、コンピュータ指令が記憶され、該指令がプロセッサにより実行されるとき、本発明の実施例に記載のネットワーク装置に適用されるＨＡＲＱ  ＩＤ決定方法のステップを実現し、
又は、該指令がプロセッサにより実行されるとき、本発明の実施例に記載の端末に適用されるＨＡＲＱ  ＩＤ決定方法のステップを実現する。
【発明の効果】
【００５３】
本発明の実施例によるＨＡＲＱ  ＩＤ決定方法、ネットワーク装置、端末及びコンピュータ記憶媒体について、前記方法は、ネットワーク装置が、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が非動的リソース設定の時間領域リソースオフセット及び／又は時間領域リソース周期を含むことと、前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を含む。本発明の実施例の技術案によれば、非動的リソースである時間領域リソース設定情報、ＨＡＲＱ  ＩＤオフセット、現在伝送しているデータブロックの伝送回数のうちの少なくとも１つの情報と、現在伝送している時間領域リソース番号と、ＨＡＲＱプロセス数とを組み合わせてＨＡＲＱ  ＩＤを決定することで、Ｇｒａｎｔ  ｆｒｅｅメカニズムでの複数回の繰り返し伝送による同一のデータブロックが複数のＨＡＲＱ  ＩＤに対応する状況の発生を回避し、１つのＴＢが１つのプロセスに対応し、ＨＡＲＱプロセスＩＤの浪費を回避し、異なるＴＢの誤った合成の問題を回避し、再送合成の効率を向上させる。
【図面の簡単な説明】
【００５４】
【図１】図１は本発明の実施例１に係るＨＡＲＱ  ＩＤ決定方法のフローチャートである。
【図２】図２は本発明の実施例２に係るＨＡＲＱ  ＩＤ決定方法のフローチャートである。
【図３】図３ａ及び図３ｂは本発明の実施例に係るＨＡＲＱ  ＩＤ決定方法の第１の応用模式図である。
【図４】図４ａ及び図４ｂは本発明の実施例に係るＨＡＲＱ  ＩＤ決定方法の第２の応用模式図である。
【図５】図５ａ及び図５ｂは本発明の実施例に係るＨＡＲＱ  ＩＤ決定方法の第３の応用模式図である。
【図６】図６ａ及び図６ｂは本発明の実施例に係るＨＡＲＱ  ＩＤ決定方法の第４の応用模式図である。
【図７】図７は本発明の実施例に係るＨＡＲＱ  ＩＤ決定方法の第５の応用模式図である。
【図８】図８は本発明の実施例に係るネットワーク装置の１つの構成模式図である。
【図９】図９は本発明の実施例に係るネットワーク装置の他の構成模式図である。
【図１０】図１０は本発明の実施例に係る端末の１つの構成模式図である。
【図１１】図１１は本発明の実施例に係る端末の他の構成模式図である。
【図１２】図１２は本発明の実施例に係るネットワーク装置／端末のハードウェア構成模式図である。
【発明を実施するための形態】
【００５５】
以下、図面及び具体的な実施例を参照して本発明を更に詳しく説明する。
【００５６】
実施例１
本発明の実施例はＨＡＲＱ  ＩＤ決定方法を提供する。図１は本発明の実施例１に係るＨＡＲＱ  ＩＤ決定方法のフローチャートであり、図１に示すように、前記方法は、
ネットワーク装置は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が非動的リソース設定の時間領域リソースオフセット及び／又は時間領域リソース周期を含むステップ１０１と、
前記ネットワーク装置は、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定するステップ１０２と、を含む。
【００５７】
本発明の実施例では、前記時間領域リソース番号は、無線フレーム番号、サブフレーム番号、スロット番号、シンボル番号のうちのいずれかであってもよい。
【００５８】
第１の実施形態として、ネットワーク装置は、現在伝送している時間領域リソース番号、時間領域リソースオフセット、時間領域リソース周期及び前記ＨＡＲＱプロセス数を決定し、前記現在伝送している時間領域リソース番号、前記時間領域リソースオフセット、前記時間領域リソース周期及び前記ＨＡＲＱプロセス数に基づいて、ＨＡＲＱ  ＩＤを決定する。
【００５９】
第２の実施形態として、ネットワーク装置は、現在伝送している時間領域リソース番号、時間領域リソースオフセット、時間領域リソース周期、ＨＡＲＱプロセス数及びＨＡＲＱ  ＩＤオフセットを決定し、前記現在伝送している時間領域リソース番号、前記時間領域リソースオフセット、前記時間領域リソース周期及び前記ＨＡＲＱプロセス数に基づいて、ＨＡＲＱ  ＩＤを決定する。
【００６０】
第３の実施形態として、ネットワーク装置は、現在伝送している時間領域リソース番号、時間領域リソース周期、ＨＡＲＱプロセス数及びＨＡＲＱ  ＩＤオフセットを決定し、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定する。
【００６１】
第４の実施形態として、ネットワーク装置は、現在伝送している時間領域リソース番号、時間領域リソースオフセット、現在伝送しているデータブロックの伝送回数、時間領域リソース周期、ＨＡＲＱプロセス数及びＨＡＲＱ  ＩＤオフセットを決定し、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定する。
【００６２】
第５の実施形態として、ネットワーク装置は、現在伝送している時間領域リソース番号、現在伝送しているデータブロックの伝送回数、時間領域リソース周期、ＨＡＲＱプロセス数及びＨＡＲＱ  ＩＤオフセットを決定し、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定する。
【００６３】
第６の実施形態として、ネットワーク装置は、現在伝送している時間領域リソース番号、現在伝送している伝送回数、時間領域リソース周期及びＨＡＲＱプロセス数を決定し、前記現在伝送している時間領域リソース番号、前記現在伝送している伝送回数、前記時間領域リソース周期及び前記ＨＡＲＱプロセス数に基づいて、ＨＡＲＱ  ＩＤを決定する。
【００６４】
第７の実施形態として、ネットワーク装置は、現在伝送している時間領域リソース番号、現在伝送しているデータブロックの伝送回数、時間領域リソース周期及びＨＡＲＱプロセス数を決定し、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定する。
【００６５】
本発明の実施例では、前記時間領域リソースオフセットの単位は、伝送の絶対時間長と同じであり又は異なる。
【００６６】
本発明の実施例では、前記時間領域リソース周期の単位は、伝送の絶対時間長と同じであり又は異なる。
【００６７】
本発明の実施例の技術案によれば、非動的リソースである時間領域リソース設定情報、ＨＡＲＱ  ＩＤオフセット、現在伝送しているデータブロックの伝送回数のうちの少なくとも１つの情報と、現在伝送している時間領域リソース番号と、ＨＡＲＱプロセス数とを組み合わせてＨＡＲＱ  ＩＤを決定することで、Ｇｒａｎｔ  ｆｒｅｅメカニズムでの複数回の繰り返し伝送による同一のデータブロックが複数のＨＡＲＱ  ＩＤに対応する状況の発生を回避し、１つのＴＢが１つのプロセスに対応し、ＨＡＲＱプロセスＩＤの浪費を回避し、異なるＴＢの誤った合成の問題を回避し、再送合成の効率を向上させる。
【００６８】
実施例２
本発明の実施例はＨＡＲＱ  ＩＤ決定方法を更に提供する。図２は本発明の実施例２に係るＨＡＲＱ  ＩＤ決定方法のフローチャートであり、図２に示すように、前記方法は、
端末は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が時間領域リソースオフセット及び／又は時間領域リソース周期を含むステップ２０１と、
前記端末は、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定するステップ２０２と、を含む。
【００６９】
本発明の実施例では、前記時間領域リソース番号は、無線フレーム番号、サブフレーム番号、スロット番号、シンボル番号のうちのいずれかであってもよい。
【００７０】
本発明の実施例では、前記方法は、前記端末がネットワーク装置からのシグナリングを受信し、前記シグナリングに基づいて、前記ＨＡＲＱプロセス数、前記時間領域リソース設定情報、前記ＨＡＲＱ  ＩＤオフセットのうちの少なくとも１つを決定することを更に含み、前記シグナリングはＲＲＣシグナリング、上位層シグナリング又は物理層シグナリングのうちの１つを含む。
【００７１】
第１の実施形態として、端末は、現在伝送している時間領域リソース番号、時間領域リソースオフセット、時間領域リソース周期及び前記ＨＡＲＱプロセス数を決定し、前記現在伝送している時間領域リソース番号、前記時間領域リソースオフセット、前記時間領域リソース周期及び前記ＨＡＲＱプロセス数に基づいて、ＨＡＲＱ  ＩＤを決定する。
【００７２】
第２の実施形態として、端末は、現在伝送している時間領域リソース番号、時間領域リソースオフセット、時間領域リソース周期、ＨＡＲＱプロセス数及びＨＡＲＱ  ＩＤオフセットを決定し、前記現在伝送している時間領域リソース番号、前記時間領域リソースオフセット、前記時間領域リソース周期及び前記ＨＡＲＱプロセス数に基づいて、ＨＡＲＱ  ＩＤを決定する。
【００７３】
第３の実施形態として、端末は、現在伝送している時間領域リソース番号、時間領域リソース周期、ＨＡＲＱプロセス数及びＨＡＲＱ  ＩＤオフセットを決定し、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定する。
【００７４】
第４の実施形態として、端末は、現在伝送している時間領域リソース番号、時間領域リソースオフセット、現在伝送しているデータブロックの伝送回数、時間領域リソース周期、ＨＡＲＱプロセス数及びＨＡＲＱ  ＩＤオフセットを決定し、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定する。
【００７５】
第５の実施形態として、端末は、現在伝送している時間領域リソース番号、現在伝送しているデータブロックの伝送回数、時間領域リソース周期、ＨＡＲＱプロセス数及びＨＡＲＱ  ＩＤオフセットを決定し、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定する。
【００７６】
第６の実施形態として、端末は、現在伝送している時間領域リソース番号、現在伝送している伝送回数、時間領域リソース周期及びＨＡＲＱプロセス数を決定し、前記現在伝送している時間領域リソース番号、前記現在伝送している伝送回数、前記時間領域リソース周期及び前記ＨＡＲＱプロセス数に基づいて、ＨＡＲＱ  ＩＤを決定する。
【００７７】
第７の実施形態として、端末は、現在伝送している時間領域リソース番号、現在伝送しているデータブロックの伝送回数、時間領域リソース周期及びＨＡＲＱプロセス数を決定し、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定する。
【００７８】
本発明の実施例では、前記時間領域リソースオフセットの単位は、伝送の絶対時間長と同じであり又は異なる。
【００７９】
本発明の実施例では、前記時間領域リソース周期の単位は、伝送の絶対時間長と同じであり又は異なる。
【００８０】
本発明の実施例の技術案によれば、非動的リソースである時間領域リソース設定情報、ＨＡＲＱ  ＩＤオフセット、現在伝送しているデータブロックの伝送回数のうちの少なくとも１つの情報と、現在伝送している時間領域リソース番号と、ＨＡＲＱプロセス数とを組み合わせてＨＡＲＱ  ＩＤを決定することで、Ｇｒａｎｔ  ｆｒｅｅメカニズムでの複数回の繰り返し伝送による同一のデータブロックが複数のＨＡＲＱ  ＩＤに対応する状況の発生を回避し、１つのＴＢが１つのプロセスに対応し、ＨＡＲＱプロセスＩＤの浪費を回避し、異なるＴＢの誤った合成の問題を回避し、再送合成の効率を向上させる。
【００８１】
以下、具体的な適用シーンを参照して本発明の実施例に係るＨＡＲＱ  ＩＤ決定方法を説明する。
【００８２】
シーン１
該シーンでは、現在伝送している時間領域リソース番号、時間領域リソースオフセット、時間領域リソース周期及びＨＡＲＱプロセス数に基づいて、ＨＡＲＱ  ＩＤを決定する。該シーンの技術案は、複数回の繰り返し伝送による同一のデータブロックが複数のＨＡＲＱ  ＩＤに対応する状況の発生を回避する。一例として、前記ＨＡＲＱ  ＩＤは下式を満たす。
【００８３】
【数１】
2021510942.tif 000003
【００８４】
式中、ＨＡＲＱ  Ｐｒｏｃｅｓｓ  ＩＤはＨＡＲＱ  ＩＤであり、ｔは現在伝送している時間領域リソース番号を示し、Ｔｏｆｆｓｅｔは時間領域リソースオフセットを示し、Ｔは時間領域リソース周期を示し、ＢはＨＡＲＱプロセス数を示し、ｆｌｏｏｒは切り捨てを示し、勿論、他の形態では切り上げ演算によって処理してもよく、ｍｏｄｕｌｏはモジュロ演算を示す。ｔ＿ｔｅｍｐ、Ｔｏｆｆｓｅｔ＿ｔｅｍｐ、Ｔ＿ｔｅｍｐはそれぞれｔ、Ｔｏｆｆｓｅｔ、Ｔが特定の時間単位で換算して取得したパラメータであり、ｔ＿ｔｅｍｐ、Ｔｏｆｆｓｅｔ＿ｔｅｍｐ、Ｔ＿ｔｅｍｐの絶対時間単位は同じであり、ｔ、Ｔｏｆｆｓｅｔ、Ｔの絶対時間単位は同じであってもよく、異なってもよい。
【００８５】
図３ａ及び図３ｂは本発明の実施例に係るＨＡＲＱ  ＩＤ決定方法の第１の応用模式図であり、図３ａに示すように、Ｔｏｆｆｓｅｔ、Ｔの単位と伝送の絶対時間長が同じであるシーンであり、例えば、Ｔ＝２ｍｓ（２  ｓｌｏｔｓ）、Ｔｏｆｆｓｅｔ＝１ｍｓ（１  ｓｌｏｔ）、プロセス数が３であり、１回の伝送の絶対時間長が１ｍｓ（１  ｓｌｏｔ）である場合、Ｔｏｆｆｓｅｔ＿ｔｅｍｐ＝Ｔｏｆｆｓｅｔ、Ｔ＿ｔｅｍｐ＝Ｔとなり、式（１）で算出したＨＡＲＱ  ＩＤは下式を満たす。
【００８６】
ＨＡＲＱ  Ｐｒｏｃｅｓｓ  ＩＤ＝［ｆｌｏｏｒ（ｔ−１／２）］  ｍｏｄｕｌｏ  ３
【００８７】
ｔ＝１、２の場合、ＨＡＲＱ  Ｐｒｏｃｅｓｓ  ＩＤ＝０となり、ｔ＝３、４の場合、ＨＡＲＱ  Ｐｒｏｃｅｓｓ  ＩＤ＝１となり、ｔ＝５、６の場合、ＨＡＲＱ  Ｐｒｏｃｅｓｓ  ＩＤ＝２となる。
【００８８】
上記シーンのＨＡＲＱプロセスの開始ＩＤは０である。ＨＡＲＱプロセスの開始ＩＤが０ではない場合、上記の式（１）の上で１つのオフセット値を追加し、例えば、ＨＡＲＱプロセスの開始ＩＤを１とすると、ＨＡＲＱ  ＩＤは下式を満たす。
【００８９】
ＨＡＲＱ  Ｐｒｏｃｅｓｓ  ＩＤ＝［ｆｌｏｏｒ（ｔ＿ｔｅｍｐ−Ｔｏｆｆｓｅｔ＿ｔｅｍｐ／Ｔ＿ｔｅｍｐ）］  ｍｏｄｕｌｏ  Ｂ＋１
【００９０】
図３ｂに示すように、Ｔｏｆｆｓｅｔ、Ｔの単位と伝送の絶対時間長が異なるシーンであり、例えば、Ｔ＝２ｍｓ（２  ｓｌｏｔｓ）、Ｔｏｆｆｓｅｔ＝１ｍｓ（１  ｓｌｏｔ）、プロセス数が３であり、１回の伝送の絶対時間長が０．５ｍｓ（０．５  ｓｌｏｔ）である場合、Ｔｏｆｆｓｅｔ＿ｔｅｍｐ＝１／０．５＝２、Ｔ＿ｔｅｍｐ＝２／０．５＝４となり、式（１）で算出したＨＡＲＱ  ＩＤは下式を満たす。
【００９１】
ＨＡＲＱ  Ｐｒｏｃｅｓｓ  ＩＤ＝［ｆｌｏｏｒ（ｔ−２／４）］  ｍｏｄｕｌｏ  ３
【００９２】
ｔ＝２、４の場合、ＨＡＲＱ  Ｐｒｏｃｅｓｓ  ＩＤ＝０となり、ｔ＝６、８の場合、ＨＡＲＱ  Ｐｒｏｃｅｓｓ  ＩＤ＝１となり、ｔ＝１０、１２の場合、ＨＡＲＱ  Ｐｒｏｃｅｓｓ  ＩＤ＝２となる。
【００９３】
上記シーンのＨＡＲＱプロセスの開始ＩＤは０である。ＨＡＲＱプロセスの開始ＩＤが０ではない場合、上記の式（１）の上で１つのオフセット値を追加し、例えば、ＨＡＲＱプロセスの開始ＩＤを１とすると、ＨＡＲＱ  ＩＤは下式を満たす。
【００９４】
ＨＡＲＱ  Ｐｒｏｃｅｓｓ  ＩＤ＝［ｆｌｏｏｒ（ｔ＿ｔｅｍｐ−Ｔｏｆｆｓｅｔ＿ｔｅｍｐ／Ｔ＿ｔｅｍｐ）］  ｍｏｄｕｌｏ  Ｂ＋１
【００９５】
本発明の実施例では、Ｔは２回の非自動再送の伝送間の間隔を示す。
【００９６】
シーン２
該シーンでは、現在伝送している時間領域リソース番号、時間領域リソースオフセット、時間領域リソース周期、ＨＡＲＱプロセス数及びＨＡＲＱ  ＩＤオフセットに基づいて、ＨＡＲＱ  ＩＤを決定する。該シーンの技術案は複数のＧｒａｎｔ  ｆｒｅｅリソース設定のシーンにおけるＨＡＲＱ  ＩＤの重複の問題に用いられる。一例として、前記ＨＡＲＱ  ＩＤは下式を満たす。
【００９７】
【数２】
2021510942.tif 000004
【００９８】
式中、ＨＡＲＱ  Ｐｒｏｃｅｓｓ  ＩＤはＨＡＲＱ  ＩＤであり、ｔは現在伝送している時間領域リソース番号を示し、Ｔｏｆｆｓｅｔは時間領域リソースオフセットを示し、Ｔは時間領域リソース周期を示し、ＢはＨＡＲＱプロセス数を示し、ＨｏｆｆｓｅｔはＨＡＲＱ  ＩＤオフセットを示し、ｆｌｏｏｒは切り捨てを示し、勿論、他の形態では切り上げ演算によって処理してもよく、ｍｏｄｕｌｏはモジュロ演算を示す。ｔ＿ｔｅｍｐ、Ｔｏｆｆｓｅｔ＿ｔｅｍｐ、Ｔ＿ｔｅｍｐはそれぞれｔ、Ｔｏｆｆｓｅｔ、Ｔが特定の時間単位で換算して取得したパラメータであり、ｔ＿ｔｅｍｐ、Ｔｏｆｆｓｅｔ＿ｔｅｍｐ、Ｔ＿ｔｅｍｐの絶対時間単位は同じであり、ｔ、Ｔｏｆｆｓｅｔ、Ｔの絶対時間単位は同じであってもよく、異なってもよい。
【００９９】
図４ａ及び図４ｂは本発明の実施例に係るＨＡＲＱ  ＩＤ決定方法の第２の応用模式図であり、図４ａ及び図４ｂに示すように、Ｔｏｆｆｓｅｔ、Ｔの単位と伝送の絶対時間長が同じであるシーンであり、２つのＧｒａｎｔ  ｆｒｅｅリソースが設定される。Ｇｒａｎｔ  Ｆｒｅｅリソース１について、Ｔ１＝２ｍｓ（２  ｓｌｏｔｓ）、Ｔｏｆｆｓｅｔ１＝１ｍｓ（１  ｓｌｏｔ）、プロセス数が３であり、Ｈｏｆｆｓｅｔ＝０である。Ｇｒａｎｔ  Ｆｒｅｅリソース２について、Ｔ２＝４ｍｓ（４  ｓｌｏｔｓ）、Ｔｏｆｆｓｅｔ２＝１ｍｓ（１  ｓｌｏｔ）、プロセス数が２であり、Ｈｏｆｆｓｅｔ＝３である。１回の伝送の絶対時間長が１ｍｓ（１  ｓｌｏｔ）である場合、Ｇｒａｎｔ  Ｆｒｅｅリソース１及びＧｒａｎｔ  Ｆｒｅｅリソース２が式（２）でそれぞれ算出したＨＡＲＱ  ＩＤは下式を満たす。
【０１００】
ＨＡＲＱ  Ｐｒｏｃｅｓｓ  ＩＤ  ｆｏｒ  Ｇｒａｎｔ  ｆｒｅｅ１＝［ｆｌｏｏｒ（ｔ−１／２）］  ｍｏｄｕｌｏ  ３
ＨＡＲＱ  Ｐｒｏｃｅｓｓ  ＩＤ  ｆｏｒ  Ｇｒａｎｔ  ｆｒｅｅ２＝［ｆｌｏｏｒ（ｔ−１／４）］  ｍｏｄｕｌｏ  ２＋３
【０１０１】
Ｇｒａｎｔ  ｆｒｅｅリソース１については、図４ａに示すように、ｔ＝１、２の場合、ＨＡＲＱ  Ｐｒｏｃｅｓｓ  ＩＤ＝０となり、ｔ＝３、４の場合、ＨＡＲＱ  Ｐｒｏｃｅｓｓ  ＩＤ＝１となり、ｔ＝５、６の場合、ＨＡＲＱ  Ｐｒｏｃｅｓｓ  ＩＤ＝２となる。
【０１０２】
Ｇｒａｎｔ  ｆｒｅｅリソース２については、図４ｂに示すように、ｔ＝１、２の場合、ＨＡＲＱ  Ｐｒｏｃｅｓｓ  ＩＤ＝３となり、ｔ＝５、６の場合、ＨＡＲＱ  Ｐｒｏｃｅｓｓ  ＩＤ＝４となる。
【０１０３】
上記シーンのＨＡＲＱプロセスの開始ＩＤは０である。ＨＡＲＱプロセスの開始ＩＤが０ではない場合、上記の式（２）の上で１つのオフセット値を追加し、例えば、ＨＡＲＱプロセスの開始ＩＤを１とすると、ＨＡＲＱ  ＩＤは下式を満たす。
【０１０４】
ＨＡＲＱ  Ｐｒｏｃｅｓｓ  ＩＤ＝［ｆｌｏｏｒ（ｔ＿ｔｅｍｐ−Ｔｏｆｆｓｅｔ＿ｔｅｍｐ／Ｔ＿ｔｅｍｐ）］  ｍｏｄｕｌｏ  Ｂ＋Ｈｏｆｆｓｅｔ＋１
【０１０５】
上記の例はＴｏｆｆｓｅｔ、Ｔの単位と伝送の絶対時間長が同じであるシーンであり、Ｔｏｆｆｓｅｔ、Ｔの単位と伝送の絶対時間長が異なるシーンについては、シーン１の図３ｂのＴｏｆｆｓｅｔ、Ｔに対する換算説明を参照でき、該シーンでは例を挙げて説明しない。
【０１０６】
本発明の実施例では、Ｔは２回の非自動再送の伝送間の間隔を示す。
【０１０７】
シーン３
該シーンでは、現在伝送している時間領域リソース番号、時間領域リソース周期、ＨＡＲＱプロセス数及びＨＡＲＱ  ＩＤオフセットに基づいて、ＨＡＲＱ  ＩＤを決定する。一例として、前記ＨＡＲＱ  ＩＤは下式を満たす。
【０１０８】
【数３】
2021510942.tif 000005
【０１０９】
式中、ＨＡＲＱ  Ｐｒｏｃｅｓｓ  ＩＤはＨＡＲＱ  ＩＤであり、ｔは現在伝送している時間領域リソース番号を示し、Ｔは時間領域リソース周期を示し、ＢはＨＡＲＱプロセス数を示し、ＨｏｆｆｓｅｔはＨＡＲＱ  ＩＤオフセットを示し、ｆｌｏｏｒは切り捨てを示し、勿論、他の形態では切り上げ演算によって処理してもよく、ｍｏｄｕｌｏはモジュロ演算を示す。ｔ＿ｔｅｍｐ、Ｔ＿ｔｅｍｐはそれぞれｔ、Ｔが特定の時間単位で換算して取得したパラメータであり、ｔ＿ｔｅｍｐ、Ｔ＿ｔｅｍｐの絶対時間単位は同じであり、ｔ、Ｔの絶対時間単位は同じであってもよく、異なってもよい。通常、本シーンの開始位置は制限され、例えば、Ｇｒａｎｔ  ｆｒｅｅリソースの開始位置は周期の整数倍でなければならず、又は開始位置を周期でｍｏｄｕｌｏ演算した値が周期より小さく、又は開始位置と繰り返し回数との和を周期でｍｏｄｕｌｏ演算した値が周期より小さい。
【０１１０】
図５ａ及び図５ｂは本発明の実施例に係るＨＡＲＱ  ＩＤ決定方法の第３の応用模式図であり、図５ａ及び図５ｂに示すように、Ｔｏｆｆｓｅｔ、Ｔの単位と伝送の絶対時間長が同じであるシーンであり、２つのＧｒａｎｔ  ｆｒｅｅリソースが設定される。Ｇｒａｎｔ  Ｆｒｅｅリソース１について、Ｔ１＝２ｍｓ（２  ｓｌｏｔｓ）、プロセス数が３であり、Ｈｏｆｆｓｅｔ＝０である。Ｇｒａｎｔ  Ｆｒｅｅリソース２について、Ｔ２＝４ｍｓ（４  ｓｌｏｔｓ）、プロセス数が２であり、Ｈｏｆｆｓｅｔ＝３である。１回の伝送の絶対時間長が１ｍｓ（１  ｓｌｏｔ）である場合、Ｇｒａｎｔ  Ｆｒｅｅリソース１及びＧｒａｎｔ  Ｆｒｅｅリソース２が式（３）でそれぞれ算出したＨＡＲＱ  ＩＤは下式を満たす。
【０１１１】
ＨＡＲＱ  Ｐｒｏｃｅｓｓ  ＩＤ  ｆｏｒ  ｇｒａｎｔ  ｆｒｅｅ１＝［ｆｌｏｏｒ（ｔ／２）］  ｍｏｄｕｌｏ  ３
ＨＡＲＱ  Ｐｒｏｃｅｓｓ  ＩＤ  ｆｏｒ  ｇｒａｎｔ  ｆｒｅｅ２＝［ｆｌｏｏｒ（ｔ／４）］  ｍｏｄｕｌｏ  ２＋３
【０１１２】
Ｇｒａｎｔ  ｆｒｅｅリソース１については、図５ａに示すように、ｔ＝１、２の場合、ＨＡＲＱ  Ｐｒｏｃｅｓｓ  ＩＤ＝０となり、ｔ＝３、４の場合、ＨＡＲＱ  Ｐｒｏｃｅｓｓ  ＩＤ＝１となり、ｔ＝５、６の場合、ＨＡＲＱ  Ｐｒｏｃｅｓｓ  ＩＤ＝２となる。
【０１１３】
Ｇｒａｎｔ  ｆｒｅｅリソース２については、図５ｂに示すように、ｔ＝１、２の場合、ＨＡＲＱ  Ｐｒｏｃｅｓｓ  ＩＤ＝３となり、ｔ＝５、６の場合、ＨＡＲＱ  Ｐｒｏｃｅｓｓ  ＩＤ＝４となる。
【０１１４】
上記シーンのＨＡＲＱプロセスの開始ＩＤは０である。ＨＡＲＱプロセスの開始ＩＤが０ではない場合、上記の式（３）の上で１つのオフセット値を追加し、例えば、ＨＡＲＱプロセスの開始ＩＤを１とすると、ＨＡＲＱ  ＩＤは下式を満たす。
【０１１５】
ＨＡＲＱ  Ｐｒｏｃｅｓｓ  ＩＤ＝［ｆｌｏｏｒ（ｔ＿ｔｅｍｐ／Ｔ＿ｔｅｍｐ）］  ｍｏｄｕｌｏ  Ｂ＋Ｈｏｆｆｓｅｔ＋１
【０１１６】
上記の例はＴｏｆｆｓｅｔ、Ｔの単位と伝送の絶対時間長が同じであるシーンであり、Ｔｏｆｆｓｅｔ、Ｔの単位と伝送の絶対時間長が異なるシーンについては、シーン１の図３ｂのＴｏｆｆｓｅｔ、Ｔに対する換算説明を参照でき、該シーンでは例を挙げて説明しない。
【０１１７】
シーン４
該シーンでは、現在伝送している時間領域リソース番号、時間領域リソースオフセット、現在伝送しているデータブロックの伝送回数、時間領域リソース周期、ＨＡＲＱプロセス数及びＨＡＲＱ  ＩＤオフセットに基づいて、ＨＡＲＱ  ＩＤを決定する。該シーンの技術案は、特に繰り返し伝送回数がＧｒａｎｔ  ｆｒｅｅリソース時間領域周期Ｔより大きいシーンでは、複数回の繰り返し伝送による同一のデータブロックが複数のＨＡＲＱ  ＩＤに対応する状況の発生を回避する。一例として、前記ＨＡＲＱ  ＩＤは下式を満たす。
【０１１８】
【数４】
2021510942.tif 000006
【０１１９】
式中、ＨＡＲＱ  Ｐｒｏｃｅｓｓ  ＩＤはＨＡＲＱ  ＩＤであり、ｔは現在伝送している時間領域リソース番号を示し、Ｔｏｆｆｓｅｔは時間領域リソースオフセットを示し、ｃｕｒｒｅｎｔ＿ｎは現在伝送しているデータブロックの伝送回数を示し、Ｔは時間領域リソース周期を示し、ＢはＨＡＲＱプロセス数を示し、ＨｏｆｆｓｅｔはＨＡＲＱ  ＩＤオフセットを示し、ｆｌｏｏｒは切り捨てを示し、勿論、他の形態では切り上げ演算によって処理してもよく、ｍｏｄｕｌｏはモジュロ演算を示す。ｔ＿ｔｅｍｐ、Ｔｏｆｆｓｅｔ＿ｔｅｍｐ、Ｔ＿ｔｅｍｐはそれぞれｔ、Ｔｏｆｆｓｅｔ、Ｔが特定の時間単位で換算して取得したパラメータであり、ｔ＿ｔｅｍｐ、Ｔｏｆｆｓｅｔ＿ｔｅｍｐ、Ｔ＿ｔｅｍｐの絶対時間単位は同じであり、ｔ、Ｔｏｆｆｓｅｔ、Ｔの絶対時間単位は同じであってもよく、異なってもよい。伝送回数が０から番号付けられる場合、式はｃｕｒｒｅｎｔ＿ｎで直接に表現され、伝送回数が１から番号付けられる場合、式はｃｕｒｒｅｎｔ＿ｎ−１で直接に表現される。Ｔ（Ｔ１及びＴ２を含む）はＧｒａｎｔ  ｆｒｅｅリソースの時間領域間隔である。
【０１２０】
該シーンの応用例については具体的に図４ａ及び図４ｂに示されるものを参照でき、Ｔｏｆｆｓｅｔ、Ｔの単位と伝送の絶対時間長が同じであるシーンであり、２つのＧｒａｎｔ  ｆｒｅｅリソースが設定される。Ｇｒａｎｔ  Ｆｒｅｅリソース１について、Ｔ１＝１ｍｓ（２  ｓｌｏｔｓ）、Ｔｏｆｆｓｅｔ１＝１ｍｓ（１  ｓｌｏｔ）、プロセス数が３であり、Ｈｏｆｆｓｅｔ＝０である。Ｇｒａｎｔ  Ｆｒｅｅリソース２について、Ｔ２＝４ｍｓ（４  ｓｌｏｔｓ）、Ｔｏｆｆｓｅｔ２＝１ｍｓ（１  ｓｌｏｔ）、プロセス数が２であり、Ｈｏｆｆｓｅｔ＝３である。１回の伝送の絶対時間長が１ｍｓ（１  ｓｌｏｔ）である場合、Ｇｒａｎｔ  Ｆｒｅｅリソース１及びＧｒａｎｔ  Ｆｒｅｅリソース２が式（４）でそれぞれ算出したＨＡＲＱ  ＩＤは下式を満たす。
【０１２１】
ＨＡＲＱ  Ｐｒｏｃｅｓｓ  ＩＤ  ｆｏｒ  Ｇｒａｎｔ  ｆｒｅｅ１＝［ｆｌｏｏｒ（ｔ−１−ｃｕｒｒｅｎｔ＿ｎ／２）］  ｍｏｄｕｌｏ  ３
ＨＡＲＱ  Ｐｒｏｃｅｓｓ  ＩＤ  ｆｏｒ  Ｇｒａｎｔ  ｆｒｅｅ２＝［ｆｌｏｏｒ（ｔ−１−ｃｕｒｒｒｅｎｔ＿ｎ／４）］  ｍｏｄｕｌｏ  ２＋３
【０１２２】
Ｇｒａｎｔ  ｆｒｅｅリソース１については、図４ａに示すように、ｔ＝１、２の場合、ｃｕｒｒｅｎｔ＿ｎ＝０、１、ＨＡＲＱ  Ｐｒｏｃｅｓｓ  ＩＤ＝０となり、ｔ＝３、４の場合、ｃｕｒｒｅｎｔ＿ｎ＝０、１、ＨＡＲＱ  Ｐｒｏｃｅｓｓ  ＩＤ＝１となり、ｔ＝５、６の場合、ＨＡＲＱ  Ｐｒｏｃｅｓｓ  ＩＤ＝２となる。
【０１２３】
Ｇｒａｎｔ  ｆｒｅｅリソース２については、図４ｂに示すように、ｔ＝１、２の場合、ｃｕｒｒｅｎｔ＿ｎ＝０、１、ＨＡＲＱ  Ｐｒｏｃｅｓｓ  ＩＤ＝３となり、ｔ＝５、６の場合、ｃｕｒｒｅｎｔ＿ｎ＝０、１、ＨＡＲＱ  Ｐｒｏｃｅｓｓ  ＩＤ＝４となる。
【０１２４】
上記シーンのＨＡＲＱプロセスの開始ＩＤは０である。ＨＡＲＱプロセスの開始ＩＤが０ではない場合、上記の式（４）の上で１つのオフセット値を追加し、例えば、ＨＡＲＱプロセスの開始ＩＤを１とすると、ＨＡＲＱ  ＩＤは下式を満たす。
【０１２５】
ＨＡＲＱ  Ｐｒｏｃｅｓｓ  ＩＤ＝［ｆｌｏｏｒ（ｔ＿ｔｅｍｐ−Ｔｏｆｆｓｅｔ＿ｔｅｍｐ−ｃｕｒｒｅｎｔ＿ｎ／Ｔ）］  ｍｏｄｕｌｏ  Ｂ＋Ｈｏｆｆｓｅｔ＋１
【０１２６】
他の例として、図６ａ及び図６ｂは本発明の実施例に係るＨＡＲＱ  ＩＤ決定方法の第４の応用模式図であり、図６ａ及び図６ｂに示すように、Ｔｏｆｆｓｅｔ、Ｔの単位と伝送の絶対時間長が同じであるシーンであり、２つのＧｒａｎｔ  ｆｒｅｅリソースが設定される。Ｇｒａｎｔ  Ｆｒｅｅリソース１について、Ｔ１＝１ｍｓ（２  ｓｌｏｔｓ）、Ｔｏｆｆｓｅｔ１＝１ｍｓ（１  ｓｌｏｔ）、プロセス数が３であり、Ｈｏｆｆｓｅｔ＝０である。Ｇｒａｎｔ  Ｆｒｅｅリソース２について、Ｔ２＝４ｍｓ（４  ｓｌｏｔｓ）、Ｔｏｆｆｓｅｔ２＝１ｍｓ（１  ｓｌｏｔ）、プロセス数が２であり、Ｈｏｆｆｓｅｔ＝３である。１回の伝送の絶対時間長が１ｍｓ（１  ｓｌｏｔ）である場合、Ｇｒａｎｔ  Ｆｒｅｅリソース１及びＧｒａｎｔ  Ｆｒｅｅリソース２が式（４）でそれぞれ算出したＨＡＲＱ  ＩＤは下式を満たす。
【０１２７】
ＨＡＲＱ  Ｐｒｏｃｅｓｓ  ＩＤ  ｆｏｒ  Ｇｒａｎｔ  ｆｒｅｅ１＝［ｆｌｏｏｒ（ｔ−０−ｃｕｒｒｅｎｔ＿ｎ／２）］  ｍｏｄｕｌｏ  ３
ＨＡＲＱ  Ｐｒｏｃｅｓｓ  ＩＤ  ｆｏｒ  Ｇｒａｎｔ  ｆｒｅｅ２＝［ｆｌｏｏｒ（ｔ−１−ｃｕｒｒｒｅｎｔ＿ｎ／４）］  ｍｏｄｕｌｏ  ２＋３
【０１２８】
Ｇｒａｎｔ  ｆｒｅｅリソース１については、図６ａに示すように、ｔ＝１、２の場合、ｃｕｒｒｅｎｔ＿ｎ＝０、１、ＨＡＲＱ  Ｐｒｏｃｅｓｓ  ＩＤ＝０となり、ｔ＝３、４の場合、ｃｕｒｒｅｎｔ＿ｎ＝０、１、ＨＡＲＱ  Ｐｒｏｃｅｓｓ  ＩＤ＝１となり、ｔ＝５、６の場合、ＨＡＲＱ  Ｐｒｏｃｅｓｓ  ＩＤ＝２となる。
【０１２９】
Ｇｒａｎｔ  ｆｒｅｅリソース２については、図６ｂに示すように、ｔ＝１、２の場合、ｃｕｒｒｅｎｔ＿ｎ＝０、１、ＨＡＲＱ  Ｐｒｏｃｅｓｓ  ＩＤ＝３となり、ｔ＝５、６の場合、ｃｕｒｒｅｎｔ＿ｎ＝０、１、ＨＡＲＱ  Ｐｒｏｃｅｓｓ  ＩＤ＝４となる。
【０１３０】
上記の例はＴｏｆｆｓｅｔ、Ｔの単位と伝送の絶対時間長が同じであるシーンであり、Ｔｏｆｆｓｅｔ、Ｔの単位と伝送の絶対時間長が異なるシーンについては、シーン１の図３ｂのＴｏｆｆｓｅｔ、Ｔに対する換算説明を参照でき、該シーンでは例を挙げて説明しない。
【０１３１】
シーン５
該シーンでは、現在伝送している時間領域リソース番号、時間領域リソースオフセット、現在伝送しているデータブロックの伝送回数、時間領域リソース周期及びＨＡＲＱプロセス数に基づいて、ＨＡＲＱ  ＩＤを決定する。一例として、前記ＨＡＲＱ  ＩＤは下式を満たす。
【０１３２】
ＨＡＲＱ  Ｐｒｏｃｅｓｓ  ＩＤ＝［ｆｌｏｏｒ（ｔ＿ｔｅｍｐ−Ｔｏｆｆｓｅｔ＿ｔｅｍｐ−ｃｕｒｒｅｎｔ＿ｎ／Ｔ）］  ｍｏｄｕｌｏ  Ｂ
【０１３３】
式中、ＨＡＲＱ  Ｐｒｏｃｅｓｓ  ＩＤはＨＡＲＱ  ＩＤであり、ｔは現在伝送している時間領域リソース番号を示し、Ｔｏｆｆｓｅｔは時間領域リソースオフセットを示し、ｃｕｒｒｅｎｔ＿ｎは現在伝送しているデータブロックの伝送回数を示し、Ｔは時間領域リソース周期を示し、ＢはＨＡＲＱプロセス数を示し、ｆｌｏｏｒは切り捨てを示し、勿論、他の形態では切り上げ演算によって処理してもよく、ｍｏｄｕｌｏはモジュロ演算を示す。ｔ＿ｔｅｍｐ、Ｔｏｆｆｓｅｔ＿ｔｅｍｐ、Ｔ＿ｔｅｍｐはそれぞれｔ、Ｔｏｆｆｓｅｔ、Ｔが特定の時間単位で換算して取得したパラメータであり、ｔ＿ｔｅｍｐ、Ｔｏｆｆｓｅｔ＿ｔｅｍｐ、Ｔ＿ｔｅｍｐの絶対時間単位は同じであり、ｔ、Ｔｏｆｆｓｅｔ、Ｔの絶対時間単位は同じであってもよく、異なってもよい。伝送回数が０から番号付けられる場合、式はｃｕｒｒｅｎｔ＿ｎで直接に表現され、伝送回数が１から番号付けられる場合、式はｃｕｒｒｅｎｔ＿ｎ−１で直接に表現される。Ｔ（Ｔ１及びＴ２を含む）はＧｒａｎｔ  ｆｒｅｅリソースの時間領域間隔である。
【０１３４】
シーン６
該シーンでは、現在伝送している時間領域リソース番号、現在伝送しているデータブロックの伝送回数、時間領域リソース周期、ＨＡＲＱプロセス数及びＨＡＲＱ  ＩＤオフセットに基づいて、ＨＡＲＱ  ＩＤを決定する。一例として、前記ＨＡＲＱ  ＩＤは下式を満たす。
【０１３５】
ＨＡＲＱ  Ｐｒｏｃｅｓｓ  ＩＤ＝［ｆｌｏｏｒ（ｔ＿ｔｅｍｐ−ｃｕｒｒｅｎｔ＿ｎ／Ｔ）］  ｍｏｄｕｌｏ  Ｂ＋Ｈｏｆｆｓｅｔ
【０１３６】
式中、ＨＡＲＱ  Ｐｒｏｃｅｓｓ  ＩＤはＨＡＲＱ  ＩＤであり、ｔは現在伝送している時間領域リソース番号を示し、ｃｕｒｒｅｎｔ＿ｎは現在伝送しているデータブロックの伝送回数を示し、Ｔは時間領域リソース周期を示し、ＢはＨＡＲＱプロセス数を示し、ＨｏｆｆｓｅｔはＨＡＲＱ  ＩＤオフセットを示し、ｆｌｏｏｒは切り捨てを示し、勿論、他の形態では切り上げ演算によって処理してもよく、ｍｏｄｕｌｏはモジュロ演算を示す。ｔ＿ｔｅｍｐ、Ｔ＿ｔｅｍｐはそれぞれｔ、Ｔが特定の時間単位で換算して取得したパラメータであり、ｔ＿ｔｅｍｐ、Ｔ＿ｔｅｍｐの絶対時間単位は同じであり、ｔ、Ｔの絶対時間単位は同じであってもよく、異なってもよい。伝送回数が０から番号付けられる場合、式はｃｕｒｒｅｎｔ＿ｎで直接に表現され、伝送回数が１から番号付けられる場合、式はｃｕｒｒｅｎｔ＿ｎ−１で直接に表現される。Ｔ（Ｔ１及びＴ２を含む）はＧｒａｎｔ  ｆｒｅｅリソースの時間領域間隔である。
【０１３７】
シーン７
該シーンでは、現在伝送している時間領域リソース番号、現在伝送している伝送回数、時間領域リソース周期及びＨＡＲＱプロセス数に基づいて、ＨＡＲＱ  ＩＤを決定する。一例として、前記ＨＡＲＱ  ＩＤは下式を満たす。
【０１３８】
ＨＡＲＱ  Ｐｒｏｃｅｓｓ  ＩＤ＝［ｆｌｏｏｒ（ｔ＿ｔｅｍｐ−ｃｕｒｒｅｎｔ＿ｎ／Ｔ）］  ｍｏｄｕｌｏ  Ｂ
【０１３９】
式中、ＨＡＲＱ  Ｐｒｏｃｅｓｓ  ＩＤはＨＡＲＱ  ＩＤであり、ｔは現在伝送している時間領域リソース番号を示し、ｃｕｒｒｅｎｔ＿ｎは現在伝送しているデータブロックの伝送回数を示し、Ｔは時間領域リソース周期を示し、ＢはＨＡＲＱプロセス数を示し、ｆｌｏｏｒは切り捨てを示し、勿論、他の形態では切り上げ演算によって処理してもよく、ｍｏｄｕｌｏはモジュロ演算を示す。ｔ＿ｔｅｍｐ、Ｔ＿ｔｅｍｐはそれぞれｔ、Ｔが特定の時間単位で換算して取得したパラメータであり、ｔ＿ｔｅｍｐ、Ｔ＿ｔｅｍｐの絶対時間単位は同じであり、ｔ、Ｔの絶対時間単位は同じであってもよく、異なってもよい。伝送回数が０から番号付けられる場合、式はｃｕｒｒｅｎｔ＿ｎで直接に表現され、伝送回数が１から番号付けられる場合、式はｃｕｒｒｅｎｔ＿ｎ−１で直接に表現される。Ｔ（Ｔ１及びＴ２を含む）はＧｒａｎｔ  ｆｒｅｅリソースの時間領域間隔である。
【０１４０】
シーン８
前述シーン４〜シーン７に基づいて、ＨＡＲＱ  ＩＤの決定過程では、現在伝送しているデータブロックの伝送回数と組み合わせるとき、伝送パターンを更に含んでもよい。理解できるように、第１の実施形態として、前記ネットワーク装置が、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することは、前記ネットワーク装置が、前記現在伝送している時間領域リソース番号、前記現在伝送しているデータブロックの伝送回数、現在伝送している伝送パターン、前記時間領域リソース周期、前記ＨＡＲＱプロセス数及び前記ＨＡＲＱ  ＩＤオフセットに基づいて、ＨＡＲＱ  ＩＤを決定することを含む。
【０１４１】
第２の実施形態として、前記ネットワーク装置が、前記現在伝送している時間領域リソース番号、前記現在伝送している伝送回数、前記時間領域リソース周期及び前記ＨＡＲＱプロセス数に基づいて、ＨＡＲＱ  ＩＤを決定することは、前記ネットワーク装置が、前記現在伝送している時間領域リソース番号、前記現在伝送している伝送回数、現在伝送している伝送パターン、前記時間領域リソース周期及び前記ＨＡＲＱプロセス数に基づいて、ＨＡＲＱ  ＩＤを決定することを含む。
【０１４２】
第３の実施形態として、前記ネットワーク装置が、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定することは、前記ネットワーク装置が、前記現在伝送している時間領域リソース番号、前記時間領域リソースオフセット、前記現在伝送しているデータブロックの伝送回数、現在伝送している伝送パターン、前記時間領域リソース周期及び前記ＨＡＲＱプロセス数に基づいて、ＨＡＲＱ  ＩＤを決定することを含む。
【０１４３】
第４の実施形態として、前記ネットワーク装置が、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することは、前記ネットワーク装置が、前記現在伝送している時間領域リソース番号、前記時間領域リソースオフセット、前記現在伝送しているデータブロックの伝送回数、現在伝送している伝送パターン、前記時間領域リソース周期、前記ＨＡＲＱプロセス数及び前記ＨＡＲＱ  ＩＤオフセットに基づいて、ＨＡＲＱ  ＩＤを決定することを含む。
【０１４４】
具体的には、第１の実施形態の具体的な説明とする。一例として、前記ＨＡＲＱ  ＩＤは下式を満たす。
【０１４５】
ＨＡＲＱ  Ｐｒｏｃｅｓｓ  ＩＤ＝［ｆｌｏｏｒ（ｔ＿ｔｅｍｐ−Ｐａｔｔｅｎ（ｃｕｒｒｅｎｔ＿ｎ）＋Ｐａｔｔｅｒｎ（０））／Ｔ）］  ｍｏｄｕｌｏ  Ｂ＋Ｈｏｆｆｓｅｔ
【０１４６】
式中、ＨＡＲＱ  Ｐｒｏｃｅｓｓ  ＩＤはＨＡＲＱ  ＩＤであり、ｔは現在伝送している時間領域リソース番号を示し、ｃｕｒｒｅｎｔ＿ｎは現在伝送しているデータブロックの伝送回数を示し、Ｐａｔｔｅｒｎは複数回伝送の伝送パターンであり、Ｔは時間領域リソース周期を示し、ＢはＨＡＲＱプロセス数を示し、ＨｏｆｆｓｅｔはＨＡＲＱ  ＩＤオフセットを示し、ｆｌｏｏｒは切り捨てを示し、勿論、他の形態では切り上げ演算によって処理してもよく、ｍｏｄｕｌｏはモジュロ演算を示す。ｔ＿ｔｅｍｐ、Ｔ＿ｔｅｍｐはそれぞれｔ、Ｔが特定の時間単位で換算して取得したパラメータであり、ｔ＿ｔｅｍｐ、Ｔ＿ｔｅｍｐの絶対時間単位は同じであり、ｔ、Ｔの絶対時間単位は同じであってもよく、異なってもよい。伝送回数が０から番号付けられる場合、式はｃｕｒｒｅｎｔ＿ｎで直接に表現され、伝送回数が１から番号付けられる場合、式はｃｕｒｒｅｎｔ＿ｎ−１で直接に表現される。Ｔ（Ｔ１及びＴ２を含む）はＧｒａｎｔ  ｆｒｅｅリソースの時間領域間隔である。図７に示すように、Ｐａｔｔｅｒｎ（０）＝０、Ｐａｔｔｅｒｎ（１）＝２、Ｐａｔｔｅｒｎ（２）＝３、Ｔ＝６、Ｂ＝２、Ｈｏｆｆｓｅｔ＝０である。
【０１４７】
第２の例として、前記ＨＡＲＱ  ＩＤは下式を満たす。
【０１４８】
ＨＡＲＱ  Ｐｒｏｃｅｓｓ  ＩＤ＝［ｆｌｏｏｒ（ｔ＿ｔｅｍｐ−Ｐａｔｔｅｎ（ｃｕｒｒｅｎｔ＿ｎ）＋Ｐａｔｔｅｒｎ（０））／Ｔ）］  ｍｏｄｕｌｏ  Ｂ
【０１４９】
式中、ＨＡＲＱ  Ｐｒｏｃｅｓｓ  ＩＤはＨＡＲＱ  ＩＤであり、ｔは現在伝送している時間領域リソース番号を示し、ｃｕｒｒｅｎｔ＿ｎは現在伝送しているデータブロックの伝送回数を示し、Ｐａｔｔｅｒｎは複数回伝送の伝送パターンであり、Ｔは時間領域リソース周期を示し、ＢはＨＡＲＱプロセス数を示し、ｆｌｏｏｒは切り捨てを示し、勿論、他の形態では切り上げ演算によって処理してもよく、ｍｏｄｕｌｏはモジュロ演算を示す。ｔ＿ｔｅｍｐ、Ｔ＿ｔｅｍｐはそれぞれｔ、Ｔが特定の時間単位で換算して取得したパラメータであり、ｔ＿ｔｅｍｐ、Ｔ＿ｔｅｍｐの絶対時間単位は同じであり、ｔ、Ｔの絶対時間単位は同じであってもよく、異なってもよい。伝送回数が０から番号付けられる場合、式はｃｕｒｒｅｎｔ＿ｎで直接に表現され、伝送回数が１から番号付けられる場合、式はｃｕｒｒｅｎｔ＿ｎ−１で直接に表現される。Ｔ（Ｔ１及びＴ２を含む）はＧｒａｎｔ  ｆｒｅｅリソースの時間領域間隔である。
【０１５０】
第３の例として、前記ＨＡＲＱ  ＩＤは下式を満たす。
【０１５１】
ＨＡＲＱ  Ｐｒｏｃｅｓｓ  ＩＤ＝［ｆｌｏｏｒ（ｔ＿ｔｅｍｐ−Ｔｏｆｆｓｅｔ＿ｔｅｍｐ−Ｐａｔｔｅｎ（ｃｕｒｒｅｎｔ＿ｎ）＋Ｐａｔｔｅｒｎ（０））／Ｔ）］  ｍｏｄｕｌｏ  Ｂ
【０１５２】
式中、ＨＡＲＱ  Ｐｒｏｃｅｓｓ  ＩＤはＨＡＲＱ  ＩＤであり、ｔは現在伝送している時間領域リソース番号を示し、Ｔｏｆｆｓｅｔは時間領域リソースオフセットを示し、ｃｕｒｒｅｎｔ＿ｎは現在伝送しているデータブロックの伝送回数を示し、Ｐａｔｔｅｒｎは複数回伝送の伝送パターンであり、Ｔは時間領域リソース周期を示し、ＢはＨＡＲＱプロセス数を示し、ｆｌｏｏｒは切り捨てを示し、勿論、他の形態では切り上げ演算によって処理してもよく、ｍｏｄｕｌｏはモジュロ演算を示す。ｔ＿ｔｅｍｐ、Ｔｏｆｆｓｅｔ＿ｔｅｍｐ、Ｔ＿ｔｅｍｐはそれぞれｔ、Ｔｏｆｆｓｅｔ、Ｔが特定の時間単位で換算して取得したパラメータであり、ｔ＿ｔｅｍｐ、Ｔｏｆｆｓｅｔ＿ｔｅｍｐ、Ｔ＿ｔｅｍｐの絶対時間単位は同じであり、ｔ、Ｔｏｆｆｓｅｔ、Ｔの絶対時間単位は同じであってもよく、異なってもよい。伝送回数が０から番号付けられる場合、式はｃｕｒｒｅｎｔ＿ｎで直接に表現され、伝送回数が１から番号付けられる場合、式はｃｕｒｒｅｎｔ＿ｎ−１で直接に表現される。Ｔ（Ｔ１及びＴ２を含む）はＧｒａｎｔ  ｆｒｅｅリソースの時間領域間隔である。
【０１５３】
第４の例として、前記ＨＡＲＱ  ＩＤは下式を満たす。
【０１５４】
ＨＡＲＱ  Ｐｒｏｃｅｓｓ  ＩＤ＝［ｆｌｏｏｒ（ｔ＿ｔｅｍｐ−Ｔｏｆｆｓｅｔ＿ｔｅｍｐ−Ｐａｔｔｅｎ（ｃｕｒｒｅｎｔ＿ｎ）＋Ｐａｔｔｅｒｎ（０））／Ｔ）］  ｍｏｄｕｌｏ  Ｂ＋Ｈｏｆｆｓｅｔ
【０１５５】
式中、ＨＡＲＱ  Ｐｒｏｃｅｓｓ  ＩＤはＨＡＲＱ  ＩＤであり、ｔは現在伝送している時間領域リソース番号を示し、Ｔｏｆｆｓｅｔは時間領域リソースオフセットを示し、ｃｕｒｒｅｎｔ＿ｎは現在伝送しているデータブロックの伝送回数を示し、Ｐａｔｔｅｒｎは複数回伝送の伝送パターンであり、Ｔは時間領域リソース周期を示し、ＢはＨＡＲＱプロセス数を示し、ＨｏｆｆｓｅｔはＨＡＲＱ  ＩＤオフセットを示し、ｆｌｏｏｒは切り捨てを示し、勿論、他の形態では切り上げ演算によって処理してもよく、ｍｏｄｕｌｏはモジュロ演算を示す。ｔ＿ｔｅｍｐ、Ｔｏｆｆｓｅｔ＿ｔｅｍｐ、Ｔ＿ｔｅｍｐはそれぞれｔ、Ｔｏｆｆｓｅｔ、Ｔが特定の時間単位で換算して取得したパラメータであり、ｔ＿ｔｅｍｐ、Ｔｏｆｆｓｅｔ＿ｔｅｍｐ、Ｔ＿ｔｅｍｐの絶対時間単位は同じであり、ｔ、Ｔｏｆｆｓｅｔ、Ｔの絶対時間単位は同じであってもよく、異なってもよい。伝送回数が０から番号付けられる場合、式はｃｕｒｒｅｎｔ＿ｎで直接に表現され、伝送回数が１から番号付けられる場合、式はｃｕｒｒｅｎｔ＿ｎ−１で直接に表現される。Ｔ（Ｔ１及びＴ２を含む）はＧｒａｎｔ  ｆｒｅｅリソースの時間領域間隔である。
【０１５６】
実施例３
本発明の実施例はネットワーク装置を更に提供する。図８は本発明の実施例に係るネットワーク装置の１つの構成模式図であり、図８に示すように、前記ネットワーク装置は第１決定ユニット３１と第２決定ユニット３２を備え、
前記第１決定ユニット３１は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定するように設定され、前記時間領域リソース設定情報は非動的リソース設定の時間領域リソースオフセット及び／又は時間領域リソース周期を含み、
前記第２決定ユニット３２は、前記第１決定ユニット３１が決定した前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定するように設定される。
【０１５７】
第１の実施形態として、前記第２決定ユニット３２は、前記現在伝送している時間領域リソース番号、前記時間領域リソースオフセット、前記時間領域リソース周期及び前記ＨＡＲＱプロセス数に基づいて、ＨＡＲＱ  ＩＤを決定するように設定される。
【０１５８】
第２の実施形態として、前記第２決定ユニット３２は、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定するように設定される。
【０１５９】
第３の実施形態として、前記第２決定ユニット３２は、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定するように設定される。
【０１６０】
第４の実施形態として、前記第２決定ユニット３２は、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される。
【０１６１】
第５の実施形態として、前記第２決定ユニット３２は、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される。
【０１６２】
第６の実施形態として、前記第２決定ユニット３２は、前記現在伝送している時間領域リソース番号、前記現在伝送している伝送回数、前記時間領域リソース周期及び前記ＨＡＲＱプロセス数に基づいて、ＨＡＲＱ  ＩＤを決定するように設定される。
【０１６３】
第７の実施形態として、前記第２決定ユニット３２は、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定するように設定される。
【０１６４】
本発明の実施例では、前記時間領域リソースオフセットの単位は、伝送の絶対時間長と同じであり又は異なる。
【０１６５】
本発明の実施例では、前記時間領域リソース周期の単位は、伝送の絶対時間長と同じであり又は異なる。
【０１６６】
１つの実施形態として、図９に示すように、前記ネットワーク装置は、端末にシグナリングを送信するように設定される送信ユニット３３を更に備え、前記シグナリングには前記ＨＡＲＱプロセス数、前記時間領域リソース設定情報、前記ＨＡＲＱ  ＩＤオフセットのうちの１つが少なくとも含まれ、前記シグナリングはＲＲＣシグナリング、上位層シグナリング又は物理層シグナリングのうちの１つを含む。
【０１６７】
本発明の実施例では、前記ネットワーク装置における第１決定ユニット３１及び第２決定ユニット３２は、実際の応用においていずれも中央処理装置（ＣＰＵ、Ｃｅｎｔｒａｌ  Ｐｒｏｃｅｓｓｉｎｇ  Ｕｎｉｔ）、デジタル信号プロセッサ（ＤＳＰ、Ｄｉｇｉｔａｌ  Ｓｉｇｎａｌ  Ｐｒｏｃｅｓｓｏｒ）、マイクロコントローラユニット（ＭＣＵ、Ｍｉｃｒｏｃｏｎｔｒｏｌｌｅｒ  Ｕｎｉｔ）又はフィールドプログラマブルゲートアレイ（ＦＰＧＡ、Ｆｉｅｌｄ−Ｐｒｏｇｒａｍｍａｂｌｅ  Ｇａｔｅ  Ａｒｒａｙ）によって実現されてもよく、前記ネットワーク装置における送信ユニット３３は、実際の応用において通信モジュールユニット（基本的な通信スイート、オペレーティングシステム、通信モジュール、標準化インターフェース及びプロトコル等を含む）及び送受信アンテナによって実現されてもよい。
【０１６８】
なお、上記実施例に係るネットワーク装置がＨＡＲＱ  ＩＤの決定を行うとき、上記各プログラムモジュールの分割のみを例として説明したが、実際の応用においては必要に応じて上記処理を異なるプログラムモジュールによって完成することができ、即ち、ネットワーク装置の内部構造を異なるプログラムモジュールに分割することで、以上に説明された全部又は一部の処理を完成することができる。また、上記実施例に係るネットワーク装置は方法実施例と同一の考案に属し、その具体的な実現過程については方法実施例を参照し、ここで繰り返して説明しない。
【０１６９】
実施例４
本発明の実施例は端末を更に提供する。図１０は本発明の実施例に係る端末の１つの構成模式図であり、図１０に示すように、前記端末は第３決定ユニット４１と第４決定ユニット４２を備え、
前記第３決定ユニット４１は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定するように設定され、前記時間領域リソース設定情報は時間領域リソースオフセット及び／又は時間領域リソース周期を含み、
前記第４決定ユニット４２は、前記第３決定ユニット４１が決定した前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定するように設定される。
【０１７０】
１つの実施例では、図１１に示すように、前記端末は、ネットワーク装置からのシグナリングを受信するように設定される受信ユニット４３を更に備え、前記シグナリングはＲＲＣシグナリング、上位層シグナリング又は物理層シグナリングのうちの１つを含み、
前記第３決定ユニット４１は、前記受信ユニット４３が受信した前記シグナリングに基づいて、前記ＨＡＲＱプロセス数、前記時間領域リソース設定情報、前記ＨＡＲＱ  ＩＤオフセットのうちの少なくとも１つを決定するように設定される。
【０１７１】
第１の実施形態として、前記第４決定ユニット４２は、前記現在伝送している時間領域リソース番号、前記時間領域リソースオフセット、前記時間領域リソース周期及び前記ＨＡＲＱプロセス数に基づいて、ＨＡＲＱ  ＩＤを決定するように設定される。
【０１７２】
第２の実施形態として、前記第４決定ユニット４２は、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定するように設定される。
【０１７３】
第３の実施形態として、前記第４決定ユニット４２は、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定するように設定される。
【０１７４】
第４の実施形態として、前記第４決定ユニット４２は、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される。
【０１７５】
第５の実施形態として、前記第４決定ユニット４２は、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される。
【０１７６】
第６の実施形態として、前記第４決定ユニット４２は、前記現在伝送している時間領域リソース番号、前記現在伝送している伝送回数、前記時間領域リソース周期及び前記ＨＡＲＱプロセス数に基づいて、ＨＡＲＱ  ＩＤを決定するように設定される。
【０１７７】
第７の実施形態として、前記第４決定ユニット４２は、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定するように設定される。
【０１７８】
本発明の実施例では、前記時間領域リソースオフセットの単位は、伝送の絶対時間長と同じであり又は異なる。
【０１７９】
本発明の実施例では、前記時間領域リソース周期の単位は、伝送の絶対時間長と同じであり又は異なる。
【０１８０】
本発明の実施例では、前記端末の第３決定ユニット４１及び第４決定ユニット４２は、実際の応用においていずれも端末におけるＣＰＵ、ＤＳＰ、ＭＣＵ又はＦＰＧＡによって実現されてもよく、前記端末の受信ユニット４３は、実際の応用において通信モジュールユニット（基本的な通信スイート、オペレーティングシステム、通信モジュール、標準化インターフェース及びプロトコル等を含む）及び送受信アンテナによって実現されてもよい。
【０１８１】
なお、上記実施例に係る端末がＨＡＲＱ  ＩＤの決定を行うとき、上記各プログラムモジュールの分割のみを例として説明したが、実際の応用においては必要に応じて上記処理を異なるプログラムモジュールによって完成することができ、即ち、端末の内部構造を異なるプログラムモジュールに分割することで、以上に説明された全部又は一部の処理を完成することができる。また、上記実施例に係る端末は方法実施例と同一の考案に属し、その具体的な実現過程については方法実施例を参照し、ここで繰り返して説明しない。
【０１８２】
実施例５
本発明の実施例は端末を更に提供する。図１２は本発明の実施例に係るネットワーク装置／端末のハードウェア構成模式図であり、図１２に示すように、ネットワーク装置／端末は、少なくとも１つのプロセッサ５１と、プロセッサ５１で実行可能なコンピュータプログラムを記憶するためのメモリ５２とを備える。ネットワーク装置／端末はデータを伝送するための通信コンポーネントを更に備え、各コンポーネントはバスシステム５４を介して一体に結合される。理解できるように、バスシステム５４はこれらのコンポーネント間の接続通信の実現に用いることができる。バスシステム５４は、データバスの他に、電源バス、制御バス及び状態信号バスを更に含む。ただし、明確に説明するために、図１２には様々なバスがバスシステム５４として記されている。
【０１８３】
なお、メモリ５２は揮発性メモリ又は不揮発性メモリであってもよく、揮発性メモリ及び不揮発性メモリの両方を含んでもよい。不揮発性メモリは読み出し専用メモリ（ＲＯＭ、Ｒｅａｄ  Ｏｎｌｙ  Ｍｅｍｏｒｙ）、プログラマブル読み出し専用メモリ（ＰＲＯＭ、Ｐｒｏｇｒａｍｍａｂｌｅ  Ｒｅａｄ−Ｏｎｌｙ  Ｍｅｍｏｒｙ）、消去可能プログラマブル読み出し専用メモリ（ＥＰＲＯＭ、Ｅｒａｓａｂｌｅ  Ｐｒｏｇｒａｍｍａｂｌｅ  Ｒｅａｄ−Ｏｎｌｙ  Ｍｅｍｏｒｙ）、電気的消去可能プログラマブル読み出し専用メモリ（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、磁気ランダムアクセスメモリ（ＦＲＡＭ、ｆｅｒｒｏｍａｇｎｅｔｉｃ  ｒａｎｄｏｍ  ａｃｃｅｓｓ  ｍｅｍｏｒｙ）、フラッシュメモリ（Ｆｌａｓｈ  Ｍｅｍｏｒｙ）、磁気表面メモリ、光ディスク、又は読み出し専用光ディスク（ＣＤ−ＲＯＭ、Ｃｏｍｐａｃｔ  Ｄｉｓｃ  Ｒｅａｄ−Ｏｎｌｙ  Ｍｅｍｏｒｙ）であってもよく、磁気表面メモリは磁気ディスクメモリ又はテープメモリであってもよい。揮発性メモリは外部キャッシュとして使用されるランダムアクセスメモリ（ＲＡＭ、Ｒａｎｄｏｍ  Ａｃｃｅｓｓ  Ｍｅｍｏｒｙ）であってもよい。制限的な説明ではなく、例示的な説明によって、多くの形態のＲＡＭが利用でき、例えば、スタティックランダムアクセスメモリ（ＳＲＡＭ、Ｓｔａｔｉｃ  Ｒａｎｄｏｍ  Ａｃｃｅｓｓ  Ｍｅｍｏｒｙ）、同期スタティックランダムアクセスメモリ（ＳＳＲＡＭ、Ｓｙｎｃｈｒｏｎｏｕｓ  Ｓｔａｔｉｃ  Ｒａｎｄｏｍ  Ａｃｃｅｓｓ  Ｍｅｍｏｒｙ）、ダイナミックランダムアクセスメモリ（ＤＲＡＭ、Ｄｙｎａｍｉｃ  Ｒａｎｄｏｍ  Ａｃｃｅｓｓ  Ｍｅｍｏｒｙ）、同期ダイナミックランダムアクセスメモリ（ＳＤＲＡＭ、Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、ダブルデータレート同期ダイナミックランダムアクセスメモリ（ＤＤＲＳＤＲＡＭ、Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、強化型同期ダイナミックランダムアクセスメモリ（ＥＳＤＲＡＭ、Ｅｎｈａｎｃｅｄ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、同期リンクダイナミックランダムアクセスメモリ（ＳＬＤＲＡＭ、ＳｙｎｃＬｉｎｋ  Ｄｙｎａｍｉｃ  Ｒａｎｄｏｍ  Ａｃｃｅｓｓ  Ｍｅｍｏｒｙ）、ダイレクトラムバスバスランダムアクセスメモリ（ＤＲＲＡＭ、Ｄｉｒｅｃｔ  Ｒａｍｂｕｓ  Ｒａｎｄｏｍ  Ａｃｃｅｓｓ  Ｍｅｍｏｒｙ）が挙げられる。本発明の実施例で説明されるメモリ５２はこれらのメモリ及び任意の他の適切な種類のメモリを含むが、それらに限定されない。
【０１８４】
上記本発明の実施例に記載の方法はプロセッサ５１に適用されてもよく、又はプロセッサ５１によって実現されてもよい。プロセッサ５１は集積回路チップであってもよく、信号の処理能力を有する。実現過程で、上記方法の各ステップはプロセッサ５１におけるハードウェアの集積ロジック回路又はソフトウェア形態の指令によって完了することができる。上記プロセッサ５１は汎用プロセッサ、ＤＳＰ、又は他のプログラマブルロジックデバイス、離散ゲート又はトランジスタロジックデバイス、個別ハードウェアコンポーネント等であってもよい。プロセッサ５１は本発明の実施例に開示される各方法、ステップ及びロジックブロック図を実現又は実行することができる。汎用プロセッサはマイクロプロセッサであってもよく、又はいずれかの通常のプロセッサ等であってもよい。本発明の実施例に開示される方法のステップは、ハードウェアデコードプロセッサによって直接に実行されてもよく、又はデコードプロセッサ内のハードウェア及びソフトウェアモジュールの組み合わせによって実行されてもよい。ソフトウェアモジュールは記憶媒体にあってもよく、該記憶媒体はメモリ５２にあり、プロセッサ５１はメモリ５２内の情報を読み取り、そのハードウェアと組み合わせて前述方法のステップを完了する。
【０１８５】
第１の実施形態として、ネットワーク装置として、前記プロセッサ５１は、前記プログラムを実行するとき、現在伝送している時間領域リソース番号、ＨＡＲＱプロセス数を決定し、非動的リソース設定の時間領域リソースオフセット及び／又は時間領域リソース周期を含む時間領域リソース設定情報、ＨＡＲＱ  ＩＤオフセット、現在伝送しているデータブロックの伝送回数のうちの少なくとも１つの情報を決定することと、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を実現する。
【０１８６】
１つの実施例では、前記プロセッサ５１は、前記プログラムを実行するとき、前記現在伝送している時間領域リソース番号、前記時間領域リソースオフセット、前記時間領域リソース周期及び前記ＨＡＲＱプロセス数に基づいて、ＨＡＲＱ  ＩＤを決定することを実現する。
【０１８７】
１つの実施例では、前記プロセッサ５１は、前記プログラムを実行するとき、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定することを実現する。
【０１８８】
１つの実施例では、前記プロセッサ５１は、前記プログラムを実行するとき、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定することを実現する。
【０１８９】
１つの実施例では、前記プロセッサ５１は、前記プログラムを実行するとき、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを実現する。
【０１９０】
１つの実施例では、前記プロセッサ５１は、前記プログラムを実行するとき、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを実現する。
【０１９１】
１つの実施例では、前記プロセッサ５１は、前記プログラムを実行するとき、前記現在伝送している時間領域リソース番号、前記現在伝送している伝送回数、前記時間領域リソース周期及び前記ＨＡＲＱプロセス数に基づいて、ＨＡＲＱ  ＩＤを決定することを実現する。
【０１９２】
１つの実施例では、前記プロセッサ５１は、前記プログラムを実行するとき、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定することを実現する。
【０１９３】
１つの実施例では、前記プロセッサ５１は、前記プログラムを実行するとき、端末にシグナリングを送信することを実現し、前記シグナリングには前記ＨＡＲＱプロセス数、前記時間領域リソース設定情報、前記ＨＡＲＱ  ＩＤオフセットのうちの１つが少なくとも含まれ、前記シグナリングはＲＲＣシグナリング、上位層シグナリング又は物理層シグナリングのうちの１つを含む。
【０１９４】
他の実施形態として、端末として、前記プロセッサ５１は、前記プログラムを実行するとき、現在伝送している時間領域リソース番号、ＨＡＲＱプロセス数を決定し、時間領域リソースオフセット及び／又は時間領域リソース周期を含む時間領域リソース設定情報、ＨＡＲＱ  ＩＤオフセット、現在伝送しているデータブロックの伝送回数のうちの少なくとも１つの情報を決定することと、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を実現する。
【０１９５】
１つの実施例では、前記プロセッサ５１は、前記プログラムを実行するとき、ネットワーク装置からのシグナリングを受信し、前記シグナリングに基づいて、前記ＨＡＲＱプロセス数、前記時間領域リソース設定情報、前記ＨＡＲＱ  ＩＤオフセットのうちの少なくとも１つを決定することを実現し、前記シグナリングはＲＲＣシグナリング、上位層シグナリング又は物理層シグナリングのうちの１つを含む。
【０１９６】
１つの実施例では、前記プロセッサ５１は、前記プログラムを実行するとき、前記現在伝送している時間領域リソース番号、前記時間領域リソースオフセット、前記時間領域リソース周期及び前記ＨＡＲＱプロセス数に基づいて、ＨＡＲＱ  ＩＤを決定することを実現する。
【０１９７】
１つの実施例では、前記プロセッサ５１は、前記プログラムを実行するとき、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定することを実現する。
【０１９８】
１つの実施例では、前記プロセッサ５１は、前記プログラムを実行するとき、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定することを実現する。
【０１９９】
１つの実施例では、前記プロセッサ５１は、前記プログラムを実行するとき、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを実現する。
【０２００】
１つの実施例では、前記プロセッサ５１は、前記プログラムを実行するとき、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを実現する。
【０２０１】
１つの実施例では、前記プロセッサ５１は、前記プログラムを実行するとき、前記現在伝送している時間領域リソース番号、前記現在伝送している伝送回数、前記時間領域リソース周期及び前記ＨＡＲＱプロセス数に基づいて、ＨＡＲＱ  ＩＤを決定することを実現する。
【０２０２】
１つの実施例では、前記プロセッサ５１は、前記プログラムを実行するとき、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定することを実現する。
【０２０３】
実施例６
本発明の実施例はコンピュータ記憶媒体を更に提供し、例えば、図１２に示されるネットワーク装置／端末にある、コンピュータプログラムが記憶されているメモリ５２を備え、上記コンピュータプログラムが装置のプロセッサ５１によって実行されることで、前述方法の前記ステップが完了される。コンピュータ記憶媒体はＦＲＡＭ、ＲＯＭ、ＰＲＯＭ、ＥＰＲＯＭ、ＥＥＰＲＯＭ、Ｆｌａｓｈ  Ｍｅｍｏｒｙ、磁気表面メモリ、光ディスク、又はＣＤ−ＲＯＭ等のメモリであってもよく、上記メモリのいずれか又は任意の組み合わせを備える様々な装置であってもよい。
【０２０４】
１つの実施形態として、前記コンピュータ記憶媒体は、ネットワーク装置にある、コンピュータプログラムが記憶されているメモリを備え、本発明の実施例に係るコンピュータ記憶媒体にはコンピュータプログラムが記憶され、該コンピュータプログラムはプロセッサによって実行されるとき、現在伝送している時間領域リソース番号、ＨＡＲＱプロセス数を決定し、非動的リソース設定の時間領域リソースオフセット及び／又は時間領域リソース周期を含む時間領域リソース設定情報、ＨＡＲＱ  ＩＤオフセット、現在伝送しているデータブロックの伝送回数のうちの少なくとも１つの情報を決定することと、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を実行する。
【０２０５】
１つの実施例では、該コンピュータプログラムはプロセッサによって実行されるとき、前記現在伝送している時間領域リソース番号、前記時間領域リソースオフセット、前記時間領域リソース周期及び前記ＨＡＲＱプロセス数に基づいて、ＨＡＲＱ  ＩＤを決定することを実行する。
【０２０６】
１つの実施例では、該コンピュータプログラムはプロセッサによって実行されるとき、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定することを実行する。
【０２０７】
１つの実施例では、該コンピュータプログラムはプロセッサによって実行されるとき、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定することを実行する。
【０２０８】
１つの実施例では、該コンピュータプログラムはプロセッサによって実行されるとき、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを実行する。
【０２０９】
１つの実施例では、該コンピュータプログラムはプロセッサによって実行されるとき、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを実行する。
【０２１０】
１つの実施例では、該コンピュータプログラムはプロセッサによって実行されるとき、前記現在伝送している時間領域リソース番号、前記現在伝送している伝送回数、前記時間領域リソース周期及び前記ＨＡＲＱプロセス数に基づいて、ＨＡＲＱ  ＩＤを決定することを実行する。
【０２１１】
１つの実施例では、該コンピュータプログラムはプロセッサによって実行されるとき、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定することを実行する。
【０２１２】
１つの実施例では、該コンピュータプログラムはプロセッサによって実行されるとき、端末にシグナリングを送信することを実行し、前記シグナリングには前記ＨＡＲＱプロセス数、前記時間領域リソース設定情報、前記ＨＡＲＱ  ＩＤオフセットのうちの１つが少なくとも含まれ、前記シグナリングはＲＲＣシグナリング、上位層シグナリング又は物理層シグナリングのうちの１つを含む。
【０２１３】
他の実施形態として、前記コンピュータ記憶媒体は、端末にある、コンピュータプログラムが記憶されているメモリを備え、本発明の実施例に係るコンピュータ記憶媒体にはコンピュータプログラムが記憶され、該コンピュータプログラムはプロセッサによって実行されるとき、現在伝送している時間領域リソース番号、ＨＡＲＱプロセス数を決定し、時間領域リソースオフセット及び／又は時間領域リソース周期を含む時間領域リソース設定情報、ＨＡＲＱ  ＩＤオフセット、現在伝送しているデータブロックの伝送回数のうちの少なくとも１つの情報を決定することと、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を実行する。
【０２１４】
１つの実施例では、該コンピュータプログラムはプロセッサによって実行されるとき、ネットワーク装置からのシグナリングを受信し、前記シグナリングに基づいて、前記ＨＡＲＱプロセス数、前記時間領域リソース設定情報、前記ＨＡＲＱ  ＩＤオフセットのうちの少なくとも１つを決定することを実行し、前記シグナリングはＲＲＣシグナリング、上位層シグナリング又は物理層シグナリングのうちの１つを含む。
【０２１５】
１つの実施例では、該コンピュータプログラムはプロセッサによって実行されるとき、前記現在伝送している時間領域リソース番号、前記時間領域リソースオフセット、前記時間領域リソース周期及び前記ＨＡＲＱプロセス数に基づいて、ＨＡＲＱ  ＩＤを決定することを実行する。
【０２１６】
１つの実施例では、該コンピュータプログラムはプロセッサによって実行されるとき、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定することを実行する。
【０２１７】
１つの実施例では、該コンピュータプログラムはプロセッサによって実行されるとき、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定することを実行する。
【０２１８】
１つの実施例では、該コンピュータプログラムはプロセッサによって実行されるとき、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを実行する。
【０２１９】
１つの実施例では、該コンピュータプログラムはプロセッサによって実行されるとき、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを実行する。
【０２２０】
１つの実施例では、該コンピュータプログラムはプロセッサによって実行されるとき、前記現在伝送している時間領域リソース番号、前記現在伝送している伝送回数、前記時間領域リソース周期及び前記ＨＡＲＱプロセス数に基づいて、ＨＡＲＱ  ＩＤを決定することを実行する。
【０２２１】
１つの実施例では、該コンピュータプログラムはプロセッサによって実行されるとき、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定することを実行する。
【０２２２】
本願によるいくつかの実施例では、理解されるべきように、開示された端末、ネットワーク装置及び方法は他の方式で実現できる。以上に説明された装置実施例は例示的なものに過ぎず、例えば、前記ユニットの分割はロジック機能の分割だけであり、実際の実現時に他の分割方式を有することができ、例えば、複数のユニット又はコンポーネントを組み合わせてもよく、又は他のシステムに集積してもよく、又は一部の特徴を無視したり、実行しなかったりしてもよい。また、表示又は検討される各構成部分の相互結合、又は直接結合、又は通信接続は、あるインターフェース、装置又はユニットを介した間接結合又は通信接続であってもよく、電気的、機械的又は他の形態のものであってもよい。
【０２２３】
上記別々の部材として説明されるユニットは物理的に分離されてもよく、物理的に分離されなくてもよく、ユニットとして示される部材は物理ユニットであってもよく、物理ユニットでなくてもよく、即ち、１つの場所に位置してもよく、複数のネットワークユニットに分布してもよい。実際の必要に応じてそのうちの一部又は全部のユニットを選択して本実施例の技術案の目的を実現することができる。
【０２２４】
更に、本発明の各実施例の各機能ユニットはすべて１つの処理ユニットに集積されてもよく、各ユニットはそれぞれ単独で１つのユニットとしてもよく、２つ以上のユニットは１つのユニットに集積されてもよい。上記集積されたユニットはハードウェアの形態で実現されてもよく、ハードウェアにソフトウェア機能ユニットを付加した形態で実現されてもよい。
【０２２５】
当業者であれば理解できるように、上記方法実施例の全部又は一部のステップの実現は、プログラムによって関連するハードウェアに指令して完了でき、前述プログラムはコンピュータ可読記憶媒体に記憶されてもよく、該プログラムは実行されるとき、上記方法実施例のステップを実行し、前述記憶媒体はモバイル記憶装置、ＲＯＭ、ＲＡＭ、磁気ディスク又は光ディスク等の、プログラムコードを記憶できる様々な媒体を含む。
【０２２６】
又は、本発明の上記集積されたユニットはソフトウェア機能モジュールの形態で実現され、独立した製品として販売又は使用される場合、１つのコンピュータ可読記憶媒体に記憶されてもよい。このような理解に基づいて、本発明の実施例の技術案は本質的に又は従来技術に貢献する部分はソフトウェア製品の形態で実施され得ており、該コンピュータソフトウェア製品は１つの記憶媒体に記憶され、１つのコンピュータ装置（パーソナルコンピュータ、サーバ、又はネットワーク装置等であってもよい）に本発明の各実施例に記載の方法の全部又は一部を実行させるための複数の指令を含む。前述記憶媒体はモバイル記憶装置、ＲＯＭ、ＲＡＭ、磁気ディスク又は光ディスク等の、プログラムコードを記憶できる様々な媒体を含む。
【０２２７】
以上の内容は本発明の具体的な実施形態に過ぎず、本発明の保護範囲はそれに制限されず、当業者が本発明に開示される技術範囲内に容易に想到し得る変化や置換は、いずれも本発明の保護範囲内にあるべきである。従って、本発明の保護範囲は請求項の保護範囲を基準とするべきである。
【図１】
2021510942.tif 000007
【図２】
2021510942.tif 000008
【図３ａ】
2021510942.tif 000009
【図３ｂ】
2021510942.tif 000010
【図４ａ】
2021510942.tif 000011
【図４ｂ】
2021510942.tif 000012
【図５ａ】
2021510942.tif 000013
【図５ｂ】
2021510942.tif 000014
【図６ａ】
2021510942.tif 000015
【図６ｂ】
2021510942.tif 000016
【図７】
2021510942.tif 000017
【図８】
2021510942.tif 000018
【図９】
2021510942.tif 000019
【図１０】
2021510942.tif 000020
【図１１】
2021510942.tif 000021
【図１２】
2021510942.tif 000022
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
ハイブリッド自動再送要求（ＨＡＲＱ）ＩＤ決定方法であって、
ネットワーク装置は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が非動的リソース設定の時間領域リソースオフセット及び／又は時間領域リソース周期を含むことと、
前記ネットワーク装置は、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を含むハイブリッド自動再送要求（ＨＡＲＱ）ＩＤ決定方法。
【請求項２】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソースオフセット、前記時間領域リソース周期及び前記ＨＡＲＱプロセス数に基づいて、ＨＡＲＱ  ＩＤを決定することを含む請求項１に記載の方法。
【請求項３】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定することを含む請求項１に記載の方法。
【請求項４】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定することを含む請求項１に記載の方法。
【請求項５】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを含む請求項１に記載の方法。
【請求項６】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを含む請求項１に記載の方法。
【請求項７】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送している伝送回数のうちの少なくとも１つの情報とに基づいて、ＨＡＲＱ  ＩＤを決定することは、
前記ネットワーク装置は、前記現在伝送している時間領域リソース番号、前記現在伝送している伝送回数、前記時間領域リソース周期及び前記ＨＡＲＱプロセス数に基づいて、ＨＡＲＱ  ＩＤを決定することを含む請求項１に記載の方法。
【請求項８】
前記ＨＡＲＱ  ＩＤは、
ＨＡＲＱ  Ｐｒｏｃｅｓｓ  ＩＤ＝［ｆｌｏｏｒ（ｔ＿ｔｅｍｐ−ｃｕｒｒｅｎｔｎ／Ｔ）］  ｍｏｄｕｌｏ  Ｂ＋Ｈｏｆｆｓｅｔ
という式を満たし、ＨＡＲＱ  Ｐｒｏｃｅｓｓ  ＩＤはＨＡＲＱ  ＩＤを示し、ｔは現在伝送している時間領域リソース番号を示し、ｃｕｒｒｅｎｔ＿ｎは現在伝送しているデータブロックの伝送回数を示し、Ｔは時間領域リソース周期を示し、ＢはＨＡＲＱプロセス数を示し、ｔ＿ｔｅｍｐはｔによって取得されたパラメータであり、Ｔ＿ｔｅｍｐはＴによって取得されたパラメータであり、ｆｌｏｏｒは切り捨てを示し、ｍｏｄｕｌｏはモジュロ演算を示す請求項１又は７に記載の方法。
【請求項９】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送している伝送回数のうちの少なくとも１つの情報とに基づいて、ＨＡＲＱ  ＩＤを決定することは、
前記ネットワーク装置は、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定することを含む請求項１に記載の方法。
【請求項１０】
前記時間領域リソースオフセットの単位は、伝送の絶対時間長と同じであり又は異なる請求項１〜９のいずれか１項に記載の方法。
【請求項１１】
前記時間領域リソース周期の単位は、伝送の絶対時間長と同じであり又は異なる請求項１〜９のいずれか１項に記載の方法。
【請求項１２】
前記方法は、前記ネットワーク装置が端末にシグナリングを送信することを更に含み、前記シグナリングには前記ＨＡＲＱプロセス数、前記時間領域リソース設定情報、前記ＨＡＲＱ  ＩＤオフセットのうちの１つが少なくとも含まれ、前記シグナリングはＲＲＣシグナリング、上位層シグナリング又は物理層シグナリングのうちの１つを含む請求項１〜９のいずれか１項に記載の方法。
【請求項１３】
ＨＡＲＱ  ＩＤ決定方法であって、
端末は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が時間領域リソースオフセット及び／又は時間領域リソース周期を含むことと、
前記端末は、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を含むＨＡＲＱ  ＩＤ決定方法。
【請求項１４】
前記方法は、前記端末が、ネットワーク装置からのシグナリングを受信し、前記シグナリングに基づいて、前記ＨＡＲＱプロセス数、前記時間領域リソース設定情報、前記ＨＡＲＱ  ＩＤオフセットのうちの少なくとも１つを決定することを更に含み、前記シグナリングはＲＲＣシグナリング、上位層シグナリング又は物理層シグナリングのうちの１つを含む請求項１３に記載の方法。
【請求項１５】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソースオフセット、前記時間領域リソース周期及び前記ＨＡＲＱプロセス数に基づいて、ＨＡＲＱ  ＩＤを決定することを含む請求項１３に記載の方法。
【請求項１６】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定することを含む請求項１３に記載の方法。
【請求項１７】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定することを含む請求項１３に記載の方法。
【請求項１８】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを含む請求項１３に記載の方法。
【請求項１９】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定することを含む請求項１３に記載の方法。
【請求項２０】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記現在伝送している伝送回数、前記時間領域リソース周期及び前記ＨＡＲＱプロセス数に基づいて、ＨＡＲＱ  ＩＤを決定することを含む請求項１３に記載の方法。
【請求項２１】
前記ＨＡＲＱ  ＩＤは、
ＨＡＲＱ  Ｐｒｏｃｅｓｓ  ＩＤ＝［ｆｌｏｏｒ（ｔ＿ｔｅｍｐ−ｃｕｒｒｅｎｔｎ／Ｔ）］  ｍｏｄｕｌｏ  Ｂ＋Ｈｏｆｆｓｅｔ
という式を満たし、ＨＡＲＱ  Ｐｒｏｃｅｓｓ  ＩＤはＨＡＲＱ  ＩＤを示し、ｔは現在伝送している時間領域リソース番号を示し、ｃｕｒｒｅｎｔ＿ｎは現在伝送しているデータブロックの伝送回数を示し、Ｔは時間領域リソース周期を示し、ＢはＨＡＲＱプロセス数を示し、ｔ＿ｔｅｍｐはｔによって取得されたパラメータであり、Ｔ＿ｔｅｍｐはＴによって取得されたパラメータであり、ｆｌｏｏｒは切り捨てを示し、ｍｏｄｕｌｏはモジュロ演算を示す請求項１３又は２０に記載の方法。
【請求項２２】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定することを含む請求項１３に記載の方法。
【請求項２３】
前記時間領域リソースオフセットの単位は、伝送の絶対時間長と同じであり又は異なる請求項１３〜２２のいずれか１項に記載の方法。
【請求項２４】
前記時間領域リソース周期の単位は、伝送の絶対時間長と同じであり又は異なる請求項１３〜２２のいずれか１項に記載の方法。
【請求項２５】
ネットワーク装置であって、前記ネットワーク装置は第１決定ユニットと第２決定ユニットを備え、
前記第１決定ユニットは、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定するように設定され、前記時間領域リソース設定情報は非動的リソース設定の時間領域リソースオフセット及び／又は時間領域リソース周期を含み、
前記第２決定ユニットは、前記第１決定ユニットが決定した前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定するように設定されるネットワーク装置。
【請求項２６】
前記第２決定ユニットは、前記現在伝送している時間領域リソース番号、前記時間領域リソースオフセット、前記時間領域リソース周期及び前記ＨＡＲＱプロセス数に基づいて、ＨＡＲＱ  ＩＤを決定するように設定される請求項２５に記載のネットワーク装置。
【請求項２７】
前記第２決定ユニットは、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定するように設定される請求項２５に記載のネットワーク装置。
【請求項２８】
前記第２決定ユニットは、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定するように設定される請求項２５に記載のネットワーク装置。
【請求項２９】
前記第２決定ユニットは、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される請求項２５に記載のネットワーク装置。
【請求項３０】
前記第２決定ユニットは、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される請求項２５に記載のネットワーク装置。
【請求項３１】
前記第２決定ユニットは、前記現在伝送している時間領域リソース番号、前記現在伝送している伝送回数、前記時間領域リソース周期及び前記ＨＡＲＱプロセス数に基づいて、ＨＡＲＱ  ＩＤを決定するように設定される請求項２５に記載のネットワーク装置。
【請求項３２】
前記ＨＡＲＱ  ＩＤは、
ＨＡＲＱ  Ｐｒｏｃｅｓｓ  ＩＤ＝［ｆｌｏｏｒ（ｔ＿ｔｅｍｐ−ｃｕｒｒｅｎｔｎ／Ｔ）］  ｍｏｄｕｌｏ  Ｂ＋Ｈｏｆｆｓｅｔ
という式を満たし、ＨＡＲＱ  Ｐｒｏｃｅｓｓ  ＩＤはＨＡＲＱ  ＩＤを示し、ｔは現在伝送している時間領域リソース番号を示し、ｃｕｒｒｅｎｔ＿ｎは現在伝送しているデータブロックの伝送回数を示し、Ｔは時間領域リソース周期を示し、ＢはＨＡＲＱプロセス数を示し、ｔ＿ｔｅｍｐはｔによって取得されたパラメータであり、Ｔ＿ｔｅｍｐはＴによって取得されたパラメータであり、ｆｌｏｏｒは切り捨てを示し、ｍｏｄｕｌｏはモジュロ演算を示す請求項２５又は３１に記載の方法。
【請求項３３】
前記第２決定ユニットは、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定するように設定される請求項２５に記載のネットワーク装置。
【請求項３４】
前記時間領域リソースオフセットの単位は、伝送の絶対時間長と同じであり又は異なる請求項２５〜３３のいずれか１項に記載のネットワーク装置。
【請求項３５】
前記時間領域リソース周期の単位は、伝送の絶対時間長と同じであり又は異なる請求項２５〜３３のいずれか１項に記載のネットワーク装置。
【請求項３６】
前記ネットワーク装置は、端末にシグナリングを送信するように設定される送信ユニットを更に備え、前記シグナリングには前記ＨＡＲＱプロセス数、前記時間領域リソース設定情報、前記ＨＡＲＱ  ＩＤオフセットのうちの１つが少なくとも含まれ、前記シグナリングはＲＲＣシグナリング、上位層シグナリング又は物理層シグナリングのうちの１つを含む請求項２５〜３３のいずれか１項に記載のネットワーク装置。
【請求項３７】
端末であって、前記端末は第３決定ユニットと第４決定ユニットを備え、
前記第３決定ユニットは、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定するように設定され、前記時間領域リソース設定情報は時間領域リソースオフセット及び／又は時間領域リソース周期を含み、
前記第４決定ユニットは、前記第３決定ユニットが決定した前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定するように設定される端末。
【請求項３８】
前記端末はネットワーク装置からのシグナリングを受信するように設定される受信ユニットを更に備え、前記シグナリングはＲＲＣシグナリング、上位層シグナリング又は物理層シグナリングのうちの１つを含み、
前記第３決定ユニットは、前記受信ユニットが受信した前記シグナリングに基づいて、前記ＨＡＲＱプロセス数、前記時間領域リソース設定情報、前記ＨＡＲＱ  ＩＤオフセットのうちの少なくとも１つを決定するように設定される請求項３７に記載の端末。
【請求項３９】
前記第４決定ユニットは、前記現在伝送している時間領域リソース番号、前記時間領域リソースオフセット、前記時間領域リソース周期及び前記ＨＡＲＱプロセス数に基づいて、ＨＡＲＱ  ＩＤを決定するように設定される請求項３７に記載の端末。
【請求項４０】
前記第４決定ユニットは、前記現在伝送している時間領域リソース番号、前記時間領域リソースオフセット、前記時間領域リソース周期、前記ＨＡＲＱプロセス数及び前記ＨＡＲＱ  ＩＤオフセットに基づいて、ＨＡＲＱ  ＩＤを決定するように設定される請求項３７に記載の端末。
【請求項４１】
前記第４決定ユニットは、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定するように設定される請求項３７に記載の端末。
【請求項４２】
前記第４決定ユニットは、前記現在伝送している時間領域リソース番号、前記時間領域リソースオフセット、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される請求項３７に記載の端末。
【請求項４３】
前記第４決定ユニットは、前記現在伝送している時間領域リソース番号、前記現在伝送しているデータブロックの伝送回数、前記時間領域リソース周期、前記ＨＡＲＱプロセス数及び前記ＨＡＲＱ  ＩＤオフセットに基づいて、ＨＡＲＱ  ＩＤを決定するように設定される請求項３７に記載の端末。
【請求項４４】
前記第４決定ユニットは、前記現在伝送している時間領域リソース番号、前記現在伝送している伝送回数、前記時間領域リソース周期及び前記ＨＡＲＱプロセス数に基づいて、ＨＡＲＱ  ＩＤを決定するように設定される請求項３７に記載の端末。
【請求項４５】
前記ＨＡＲＱ  ＩＤは、
ＨＡＲＱ  Ｐｒｏｃｅｓｓ  ＩＤ＝［ｆｌｏｏｒ（ｔ＿ｔｅｍｐ−ｃｕｒｒｅｎｔｎ／Ｔ）］  ｍｏｄｕｌｏ  Ｂ＋Ｈｏｆｆｓｅｔ
という式を満たし、ＨＡＲＱ  Ｐｒｏｃｅｓｓ  ＩＤはＨＡＲＱ  ＩＤを示し、ｔは現在伝送している時間領域リソース番号を示し、ｃｕｒｒｅｎｔ＿ｎは現在伝送しているデータブロックの伝送回数を示し、Ｔは時間領域リソース周期を示し、ＢはＨＡＲＱプロセス数を示し、ｔ＿ｔｅｍｐはｔによって取得されたパラメータであり、Ｔ＿ｔｅｍｐはＴによって取得されたパラメータであり、ｆｌｏｏｒは切り捨てを示し、ｍｏｄｕｌｏはモジュロ演算を示す請求項３７又は４４に記載の方法。
【請求項４６】
前記第４決定ユニットは、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定するように設定される請求項３７に記載の端末。
【請求項４７】
前記時間領域リソースオフセットの単位は、伝送の絶対時間長と同じであり又は異なる請求項３７〜４６のいずれか１項に記載の端末。
【請求項４８】
前記時間領域リソース周期の単位は、伝送の絶対時間長と同じであり又は異なる請求項３７〜４６のいずれか１項に記載の端末。
【請求項４９】
ネットワーク装置であって、メモリと、プロセッサと、メモリに記憶されてプロセッサで実行可能なコンピュータプログラムとを備え、前記プロセッサが前記プログラムを実行するとき、請求項１〜１２のいずれか１項に記載のＨＡＲＱ  ＩＤ決定方法のステップを実現するネットワーク装置。
【請求項５０】
端末であって、メモリと、プロセッサと、メモリに記憶されてプロセッサで実行可能なコンピュータプログラムとを備え、前記プロセッサが前記プログラムを実行するとき、請求項１３〜２４のいずれか１項に記載のＨＡＲＱ  ＩＤ決定方法のステップを実現する端末。
【請求項５１】
コンピュータ記憶媒体であって、コンピュータ指令が記憶され、該指令がプロセッサにより実行されるとき、請求項１〜１２のいずれか１項に記載のＨＡＲＱ  ＩＤ決定方法のステップを実現し、
又は、該指令がプロセッサにより実行されるとき、請求項１３〜２４のいずれか１項に記載のＨＡＲＱ  ＩＤ決定方法のステップを実現するコンピュータ記憶媒体。
【手続補正書】
【提出日】令和2年10月29日(2020.10.29)
【手続補正１】
【補正対象書類名】明細書
【補正対象項目名】０００１
【補正方法】変更
【補正の内容】
【０００１】
本発明は無線通信技術に関し、具体的に、ハイブリッド自動再送要求（ＨＡＲＱ：Ｈｙｂｒｉｄ  Ａｕｔｏｍａｔｉｃ  Ｒｅｐｅａｔ  ｒｅＱｕｅｓｔ）番号決定方法、ネットワーク装置、端末及びコンピュータ記憶媒体に関する。
【手続補正２】
【補正対象書類名】明細書
【補正対象項目名】０００６
【補正方法】変更
【補正の内容】
【０００６】
本発明の実施例はハイブリッド自動再送要求（ＨＡＲＱ）  ＩＤ決定方法を提供し、前記方法は、
ネットワーク装置は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が非動的リソース設定の時間領域リソースオフセット及び／又は時間領域リソース周期を含むことと、
前記ネットワーク装置は、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を含む。
【手続補正３】
【補正対象書類名】明細書
【補正対象項目名】００１２
【補正方法】変更
【補正の内容】
【００１２】
１つの実施例では、前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記現在伝送しているデータブロックの伝送回数、前記時間領域リソース周期及び前記ＨＡＲＱプロセス数に基づいて、ＨＡＲＱ  ＩＤを決定することを含む。
【手続補正４】
【補正対象書類名】明細書
【補正対象項目名】００１３
【補正方法】変更
【補正の内容】
【００１３】
１つの実施例では、前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソースオフセット、前記現在伝送しているデータブロックの伝送回数、前記時間領域リソース周期及び前記ＨＡＲＱプロセス数に基づいて、ＨＡＲＱ  ＩＤを決定することを含む。
【手続補正５】
【補正対象書類名】明細書
【補正対象項目名】００１７
【補正方法】変更
【補正の内容】
【００１７】
本発明の実施例はハイブリッド自動再送要求（ＨＡＲＱ）  ＩＤ決定方法を更に提供し、前記方法は、
端末は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が時間領域リソースオフセット及び／又は時間領域リソース周期を含むことと、
前記端末は、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を含む。
【手続補正６】
【補正対象書類名】明細書
【補正対象項目名】００２４
【補正方法】変更
【補正の内容】
【００２４】
１つの実施例では、前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記現在伝送しているデータブロックの伝送回数、前記時間領域リソース周期及び前記ＨＡＲＱプロセス数に基づいて、ＨＡＲＱ  ＩＤを決定することを含む。
【手続補正７】
【補正対象書類名】明細書
【補正対象項目名】００３４
【補正方法】変更
【補正の内容】
【００３４】
１つの実施例では、前記第２決定ユニットは、前記現在伝送している時間領域リソース番号、前記現在伝送しているデータブロックの伝送回数、前記時間領域リソース周期及び前記ＨＡＲＱプロセス数に基づいて、ＨＡＲＱ  ＩＤを決定するように設定される。
【手続補正８】
【補正対象書類名】明細書
【補正対象項目名】００４６
【補正方法】変更
【補正の内容】
【００４６】
１つの実施例では、前記第４決定ユニットは、前記現在伝送している時間領域リソース番号、前記現在伝送しているデータブロックの伝送回数、前記時間領域リソース周期及び前記ＨＡＲＱプロセス数に基づいて、ＨＡＲＱ  ＩＤを決定するように設定される。
【手続補正９】
【補正対象書類名】明細書
【補正対象項目名】００６３
【補正方法】変更
【補正の内容】
【００６３】
第６の実施形態として、ネットワーク装置は、現在伝送している時間領域リソース番号、現在伝送しているデータブロックの伝送回数、時間領域リソース周期及びＨＡＲＱプロセス数を決定し、前記現在伝送している時間領域リソース番号、前記現在伝送しているデータブロックの伝送回数、前記時間領域リソース周期及び前記ＨＡＲＱプロセス数に基づいて、ＨＡＲＱ  ＩＤを決定する。
【手続補正１０】
【補正対象書類名】明細書
【補正対象項目名】００７６
【補正方法】変更
【補正の内容】
【００７６】
第６の実施形態として、端末は、現在伝送している時間領域リソース番号、現在伝送しているデータブロックの伝送回数、時間領域リソース周期及びＨＡＲＱプロセス数を決定し、前記現在伝送している時間領域リソース番号、前記現在伝送しているデータブロックの伝送回数、前記時間領域リソース周期及び前記ＨＡＲＱプロセス数に基づいて、ＨＡＲＱ  ＩＤを決定する。
【手続補正１１】
【補正対象書類名】明細書
【補正対象項目名】０１３７
【補正方法】変更
【補正の内容】
【０１３７】
シーン７
該シーンでは、現在伝送している時間領域リソース番号、現在伝送しているデータブロックの伝送回数、時間領域リソース周期及びＨＡＲＱプロセス数に基づいて、ＨＡＲＱ  ＩＤを決定する。一例として、前記ＨＡＲＱ  ＩＤは下式を満たす。
【手続補正１２】
【補正対象書類名】明細書
【補正対象項目名】０１４１
【補正方法】変更
【補正の内容】
【０１４１】
第２の実施形態として、前記ネットワーク装置が、前記現在伝送している時間領域リソース番号、前記現在伝送しているデータブロックの伝送回数、前記時間領域リソース周期及び前記ＨＡＲＱプロセス数に基づいて、ＨＡＲＱ  ＩＤを決定することは、前記ネットワーク装置が、前記現在伝送している時間領域リソース番号、前記現在伝送しているデータブロックの伝送回数、現在伝送している伝送パターン、前記時間領域リソース周期及び前記ＨＡＲＱプロセス数に基づいて、ＨＡＲＱ  ＩＤを決定することを含む。
【手続補正１３】
【補正対象書類名】明細書
【補正対象項目名】０１４５
【補正方法】変更
【補正の内容】
【０１４５】
ＨＡＲＱ  Ｐｒｏｃｅｓｓ  ＩＤ＝［ｆｌｏｏｒ（ｔ＿ｔｅｍｐ−Ｐａｔｔｅｒｎ（ｃｕｒｒｅｎｔ＿ｎ）＋Ｐａｔｔｅｒｎ（０））／Ｔ）］  ｍｏｄｕｌｏ  Ｂ＋Ｈｏｆｆｓｅｔ
【手続補正１４】
【補正対象書類名】明細書
【補正対象項目名】０１４８
【補正方法】変更
【補正の内容】
【０１４８】
ＨＡＲＱ  Ｐｒｏｃｅｓｓ  ＩＤ＝［ｆｌｏｏｒ（ｔ＿ｔｅｍｐ−Ｐａｔｔｅｒｎ（ｃｕｒｒｅｎｔ＿ｎ）＋Ｐａｔｔｅｒｎ（０））／Ｔ）］  ｍｏｄｕｌｏ  Ｂ
【手続補正１５】
【補正対象書類名】明細書
【補正対象項目名】０１５１
【補正方法】変更
【補正の内容】
【０１５１】
ＨＡＲＱ  Ｐｒｏｃｅｓｓ  ＩＤ＝［ｆｌｏｏｒ（ｔ＿ｔｅｍｐ−Ｔｏｆｆｓｅｔ＿ｔｅｍｐ−Ｐａｔｔｅｒｎ（ｃｕｒｒｅｎｔ＿ｎ）＋Ｐａｔｔｅｒｎ（０））／Ｔ）］  ｍｏｄｕｌｏ  Ｂ
【手続補正１６】
【補正対象書類名】明細書
【補正対象項目名】０１５４
【補正方法】変更
【補正の内容】
【０１５４】
ＨＡＲＱ  Ｐｒｏｃｅｓｓ  ＩＤ＝［ｆｌｏｏｒ（ｔ＿ｔｅｍｐ−Ｔｏｆｆｓｅｔ＿ｔｅｍｐ−Ｐａｔｔｅｒｎ（ｃｕｒｒｅｎｔ＿ｎ）＋Ｐａｔｔｅｒｎ（０））／Ｔ）］  ｍｏｄｕｌｏ  Ｂ＋Ｈｏｆｆｓｅｔ
【手続補正１７】
【補正対象書類名】明細書
【補正対象項目名】０１６２
【補正方法】変更
【補正の内容】
【０１６２】
第６の実施形態として、前記第２決定ユニット３２は、前記現在伝送している時間領域リソース番号、前記現在伝送しているデータブロックの伝送回数、前記時間領域リソース周期及び前記ＨＡＲＱプロセス数に基づいて、ＨＡＲＱ  ＩＤを決定するように設定される。
【手続補正１８】
【補正対象書類名】明細書
【補正対象項目名】０１７６
【補正方法】変更
【補正の内容】
【０１７６】
第６の実施形態として、前記第４決定ユニット４２は、前記現在伝送している時間領域リソース番号、前記現在伝送しているデータブロックの伝送回数、前記時間領域リソース周期及び前記ＨＡＲＱプロセス数に基づいて、ＨＡＲＱ  ＩＤを決定するように設定される。
【手続補正１９】
【補正対象書類名】明細書
【補正対象項目名】０１９１
【補正方法】変更
【補正の内容】
【０１９１】
１つの実施例では、前記プロセッサ５１は、前記プログラムを実行するとき、前記現在伝送している時間領域リソース番号、前記現在伝送しているデータブロックの伝送回数、前記時間領域リソース周期及び前記ＨＡＲＱプロセス数に基づいて、ＨＡＲＱ  ＩＤを決定することを実現する。
【手続補正２０】
【補正対象書類名】明細書
【補正対象項目名】０２０１
【補正方法】変更
【補正の内容】
【０２０１】
１つの実施例では、前記プロセッサ５１は、前記プログラムを実行するとき、前記現在伝送している時間領域リソース番号、前記現在伝送しているデータブロックの伝送回数、前記時間領域リソース周期及び前記ＨＡＲＱプロセス数に基づいて、ＨＡＲＱ  ＩＤを決定することを実現する。
【手続補正２１】
【補正対象書類名】明細書
【補正対象項目名】０２１０
【補正方法】変更
【補正の内容】
【０２１０】
１つの実施例では、該コンピュータプログラムはプロセッサによって実行されるとき、前記現在伝送している時間領域リソース番号、前記現在伝送しているデータブロックの伝送回数、前記時間領域リソース周期及び前記ＨＡＲＱプロセス数に基づいて、ＨＡＲＱ  ＩＤを決定することを実行する。
【手続補正２２】
【補正対象書類名】明細書
【補正対象項目名】０２２０
【補正方法】変更
【補正の内容】
【０２２０】
１つの実施例では、該コンピュータプログラムはプロセッサによって実行されるとき、前記現在伝送している時間領域リソース番号、前記現在伝送しているデータブロックの伝送回数、前記時間領域リソース周期及び前記ＨＡＲＱプロセス数に基づいて、ＨＡＲＱ  ＩＤを決定することを実行する。
【手続補正２３】
【補正対象書類名】特許請求の範囲
【補正対象項目名】全文
【補正方法】変更
【補正の内容】
【特許請求の範囲】
【請求項１】
ハイブリッド自動再送要求（ＨＡＲＱ）ＩＤ決定方法であって、
ネットワーク装置は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が非動的リソース設定の時間領域リソースオフセット及び／又は時間領域リソース周期を含むことと、
前記ネットワーク装置は、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を含むハイブリッド自動再送要求（ＨＡＲＱ）ＩＤ決定方法。
【請求項２】
前記ネットワーク装置が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記ネットワーク装置は、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定することを含む請求項１に記載の方法。
【請求項３】
前記ＨＡＲＱ  ＩＤは、
ＨＡＲＱ  Ｐｒｏｃｅｓｓ  ＩＤ＝［ｆｌｏｏｒ（ｔ＿ｔｅｍｐ−ｃｕｒｒｅｎｔｎ／Ｔ）］  ｍｏｄｕｌｏ  Ｂ＋Ｈｏｆｆｓｅｔ
という式を満たし、ＨＡＲＱ  Ｐｒｏｃｅｓｓ  ＩＤはＨＡＲＱ  ＩＤを示し、ｔは現在伝送している時間領域リソース番号を示し、ｃｕｒｒｅｎｔ＿ｎは現在伝送しているデータブロックの伝送回数を示し、Ｔは時間領域リソース周期を示し、ＢはＨＡＲＱプロセス数を示し、ｔ＿ｔｅｍｐはｔによって取得されたパラメータであり、Ｔ＿ｔｅｍｐはＴによって取得されたパラメータであり、ｆｌｏｏｒは切り捨てを示し、ｍｏｄｕｌｏはモジュロ演算を示す請求項１に記載の方法。
【請求項４】
前記方法は、前記ネットワーク装置が端末にシグナリングを送信することを更に含み、前記シグナリングには前記ＨＡＲＱプロセス数、前記時間領域リソース設定情報、前記ＨＡＲＱ  ＩＤオフセットのうちの１つが少なくとも含まれ、前記シグナリングはＲＲＣシグナリング、上位層シグナリング又は物理層シグナリングのうちの１つを含む請求項１〜３のいずれか１項に記載の方法。
【請求項５】
ハイブリッド自動再送要求（ＨＡＲＱ）  ＩＤ決定方法であって、
端末は、現在伝送している時間領域リソース番号、ＨＡＲＱプロセス数を決定し、時間領域リソース設定情報、ＨＡＲＱ  ＩＤオフセット、現在伝送しているデータブロックの伝送回数のうちの少なくとも１つの情報を決定し、前記時間領域リソース設定情報が時間領域リソースオフセット及び／又は時間領域リソース周期を含むことと、
前記端末は、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することと、を含むハイブリッド自動再送要求（ＨＡＲＱ）  ＩＤ決定方法。
【請求項６】
前記端末が、前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定することは、
前記端末は、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定することを含む請求項５に記載の方法。
【請求項７】
前記ＨＡＲＱ  ＩＤは、
ＨＡＲＱ  Ｐｒｏｃｅｓｓ  ＩＤ＝［ｆｌｏｏｒ（ｔ＿ｔｅｍｐ−ｃｕｒｒｅｎｔｎ／Ｔ）］  ｍｏｄｕｌｏ  Ｂ＋Ｈｏｆｆｓｅｔ
という式を満たし、ＨＡＲＱ  Ｐｒｏｃｅｓｓ  ＩＤはＨＡＲＱ  ＩＤを示し、ｔは現在伝送している時間領域リソース番号を示し、ｃｕｒｒｅｎｔ＿ｎは現在伝送しているデータブロックの伝送回数を示し、Ｔは時間領域リソース周期を示し、ＢはＨＡＲＱプロセス数を示し、ｔ＿ｔｅｍｐはｔによって取得されたパラメータであり、Ｔ＿ｔｅｍｐはＴによって取得されたパラメータであり、ｆｌｏｏｒは切り捨てを示し、ｍｏｄｕｌｏはモジュロ演算を示す請求項５に記載の方法。
【請求項８】
ネットワーク装置であって、前記ネットワーク装置は第１決定ユニットと第２決定ユニットを備え、
前記第１決定ユニットは、現在伝送している時間領域リソース番号、ハイブリッド自動再送要求（ＨＡＲＱ）プロセス数を決定し、時間領域リソース設定情報、ＨＡＲＱ  ＩＤオフセット、現在伝送しているデータブロックの伝送回数のうちの少なくとも１つの情報を決定するように設定され、前記時間領域リソース設定情報は非動的リソース設定の時間領域リソースオフセット及び／又は時間領域リソース周期を含み、
前記第２決定ユニットは、前記第１決定ユニットが決定した前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定するように設定されるネットワーク装置。
【請求項９】
前記第２決定ユニットは、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定するように設定される請求項８に記載のネットワーク装置。
【請求項１０】
前記ＨＡＲＱ  ＩＤは、
ＨＡＲＱ  Ｐｒｏｃｅｓｓ  ＩＤ＝［ｆｌｏｏｒ（ｔ＿ｔｅｍｐ−ｃｕｒｒｅｎｔｎ／Ｔ）］  ｍｏｄｕｌｏ  Ｂ＋Ｈｏｆｆｓｅｔ
という式を満たし、ＨＡＲＱ  Ｐｒｏｃｅｓｓ  ＩＤはＨＡＲＱ  ＩＤを示し、ｔは現在伝送している時間領域リソース番号を示し、ｃｕｒｒｅｎｔ＿ｎは現在伝送しているデータブロックの伝送回数を示し、Ｔは時間領域リソース周期を示し、ＢはＨＡＲＱプロセス数を示し、ｔ＿ｔｅｍｐはｔによって取得されたパラメータであり、Ｔ＿ｔｅｍｐはＴによって取得されたパラメータであり、ｆｌｏｏｒは切り捨てを示し、ｍｏｄｕｌｏはモジュロ演算を示す請求項８に記載のネットワーク装置。
【請求項１１】
前記ネットワーク装置は、端末にシグナリングを送信するように設定される送信ユニットを更に備え、前記シグナリングには前記ＨＡＲＱプロセス数、前記時間領域リソース設定情報、前記ＨＡＲＱ  ＩＤオフセットのうちの１つが少なくとも含まれ、前記シグナリングはＲＲＣシグナリング、上位層シグナリング又は物理層シグナリングのうちの１つを含む請求項８〜１０のいずれか１項に記載のネットワーク装置。
【請求項１２】
端末であって、前記端末は第３決定ユニットと第４決定ユニットを備え、
前記第３決定ユニットは、現在伝送している時間領域リソース番号、ハイブリッド自動再送要求（ＨＡＲＱ）プロセス数を決定し、時間領域リソース設定情報、ＨＡＲＱ  ＩＤオフセット、現在伝送しているデータブロックの伝送回数のうちの少なくとも１つの情報を決定するように設定され、前記時間領域リソース設定情報は時間領域リソースオフセット及び／又は時間領域リソース周期を含み、
前記第４決定ユニットは、前記第３決定ユニットが決定した前記現在伝送している時間領域リソース番号と、前記ＨＡＲＱプロセス数と、前記時間領域リソース設定情報、ＨＡＲＱ  ＩＤオフセット、現在伝送しているデータブロックの伝送回数のうちの少なくとも１つの情報とに基づいて、ＨＡＲＱ  ＩＤを決定するように設定される端末。
【請求項１３】
前記端末はネットワーク装置からのシグナリングを受信するように設定される受信ユニットを更に備え、前記シグナリングはＲＲＣシグナリング、上位層シグナリング又は物理層シグナリングのうちの１つを含み、
前記第３決定ユニットは、前記受信ユニットが受信した前記シグナリングに基づいて、前記ＨＡＲＱプロセス数、前記時間領域リソース設定情報、前記ＨＡＲＱ  ＩＤオフセットのうちの少なくとも１つを決定するように設定される請求項１２に記載の端末。
【請求項１４】
前記第４決定ユニットは、前記現在伝送している時間領域リソース番号、前記時間領域リソース周期、前記ＨＡＲＱプロセス数及び前記ＨＡＲＱ  ＩＤオフセットに基づいて、ＨＡＲＱ  ＩＤを決定するように設定される請求項１２に記載の端末。
【請求項１５】
前記ＨＡＲＱ  ＩＤは、
ＨＡＲＱ  Ｐｒｏｃｅｓｓ  ＩＤ＝［ｆｌｏｏｒ（ｔ＿ｔｅｍｐ−ｃｕｒｒｅｎｔｎ／Ｔ）］  ｍｏｄｕｌｏ  Ｂ＋Ｈｏｆｆｓｅｔ
という式を満たし、ＨＡＲＱ  Ｐｒｏｃｅｓｓ  ＩＤはＨＡＲＱ  ＩＤを示し、ｔは現在伝送している時間領域リソース番号を示し、ｃｕｒｒｅｎｔ＿ｎは現在伝送しているデータブロックの伝送回数を示し、Ｔは時間領域リソース周期を示し、ＢはＨＡＲＱプロセス数を示し、ｔ＿ｔｅｍｐはｔによって取得されたパラメータであり、Ｔ＿ｔｅｍｐはＴによって取得されたパラメータであり、ｆｌｏｏｒは切り捨てを示し、ｍｏｄｕｌｏはモジュロ演算を示す請求項１２に記載の端末。
【国際調査報告】
2021510942.tif 000023
2021510942.tif 000024
2021510942.tif 000025
2021510942.tif 000026
2021510942.tif 000027